(57)【要約】  本発明は、人工装具の義手のような自動義手に関する。１つの形状において、自動義手は液体に対応可能であってもよい。１つの形状において、自動義手は、衝撃を受けた際のモーター及び／又は義手の他の高感度構成要素への損傷の危険性を減らす特徴を含んでもよい。１つの形状において、義手は、義手が巻きつき、屈曲する及び／又は回転することができるように構成される手首接合を含んでもよい。１つの形状において、義手の１つ又はそれ以上の指は個別に制御されてもよい。１つの形状において、義手は親指の回転係止メカニズムを含んでもよい。１つの形状において、義手は取り外し可能なグリッププレートを備えてもよい。１つの形状において、義手は訓練用義手としての用途のために構成されてもよい。【選択図】図１
2018531063.tif 000002
【特許請求の範囲】
【請求項１】
ａ．掌；
ｂ．前記掌に取り付けられる１つ又はそれ以上の弾力的であり可撓性のある圧縮可能な取付け部；及び、
ｃ．１つ又はそれ以上のコネクタであって、各々が前記掌と関連して移動可能であるそこから延長する指を有し、各々のコネクタは、横力が指に適用される場合、各々のコネクタが前記取付け部の周りを回転してもよいようにそれぞれの取付け部に載置されるコネクタを含む、自動義手。
【請求項２】
各々の前記コネクタが前記掌の面において回転してもよい、請求項１に記載の自動義手。
【請求項３】
各々の前記コネクタが前記掌の面に垂直である面において回転してもよい、請求項１又は請求項２に記載の自動義手。
【請求項４】
複数のコネクタを含む、請求項１から請求項３のいずれか一項に記載の自動義手。
【請求項５】
複数の不連続な取付け部を含む、請求項１から請求項４のいずれか一項に記載の自動義手。
【請求項６】
前記１つ又はそれ以上の取付け部が単一の一体的に形成された取付け部である、請求項１から請求項４のいずれか一項に記載の自動義手。
【請求項７】
各々の前記取付け部が、それぞれのコネクタを受容するために必要な大きさにされてその中に形成される開口を有する、請求項１から請求項６のいずれか一項に記載の自動義手。
【請求項８】
各々の前記開口の断面が円形ではなく、各々の前記コネクタが該コネクタと前記取付け部の間の回転を防ぐために円形ではない断面を有する、請求項１から請求項７のいずれか一項に記載の自動義手。
【請求項９】
各々の前記取付け部が、マイナス２０℃からプラス１００℃の温度範囲を通じて０．８から０．０５の間のＤＭＴＡ減衰係数を有する材料で形成される、請求項１から請求項８のいずれか一項に記載の自動義手。
【請求項１０】
０．０５から０．５の間のＤＭＴＡ減衰係数を有する、請求項９に記載の自動義手。
【請求項１１】
２０％から６０％の間の弾力を有する、請求項９又は請求項１０に記載の自動義手。
【請求項１２】
１０から９０の間のショアＡ硬度を有する、請求項９から請求項１１のいずれか一項に記載の自動義手。
【請求項１３】
３０から６０の間のショアＡ硬度を有する、請求項９から請求項１１のいずれか一項に記載の自動義手。
【請求項１４】
４０から９０の間のショアＤ硬度を有する、請求項９から請求項１１のいずれか一項に記載の自動義手。
【請求項１５】
前記取付け部が、それに対して載置される複数のコネクタを有する掌部の固定器を形成する、請求項１から請求項１４のいずれか一項に記載の自動義手。
【請求項１６】
前記掌部の固定器は、該掌部の固定器の弾性変形によって可能になる前記コネクタと掌の間の相対的な動きのために少なくとも２つの指が少なくとも５°離れて広げられてもよいような弾力を有する、請求項１から請求項１５のいずれか一項に記載の自動義手。
【請求項１７】
前記掌部の固定器は、該掌部の固定器の弾性変形によって可能になる前記コネクタと掌の間の相対的な動きのために少なくとも２つの指が少なくとも１０°離れて広げられてもよいような弾力を有する、請求項１６に記載の自動義手。
【請求項１８】
前記掌部の固定器が、該掌部の固定器の弾性変形によって可能になる前記コネクタと掌の間の相対的な動きのために少なくとも２つの指が少なくとも２０°離れて広げられてもよいような弾力を有する、請求項１６に記載の自動義手。
【請求項１９】
前記掌部の固定器は、各々の前記コネクタが該掌部の固定器の弾性変形のために前記掌と関連して少なくとも２°で回転してもよいように、該掌に垂直の方向において指に適用される力の衝撃吸収を提供する、請求項１から請求項１８のいずれか一項に記載の自動義手。
【請求項２０】
各々の前記コネクタが前記掌と関連して少なくとも５°で回転してもよい、請求項１９に記載の自動義手。
【請求項２１】
各々の前記コネクタが前記掌と関連して少なくとも１０°で回転してもよい、請求項１９に記載の自動義手。
【請求項２２】
前記掌部の固定器が約３０のショアＡ硬度を有する材料で形成される、請求項１から請求項２１のいずれか一項に記載の自動義手。
【請求項２３】
前記指の端に適用される２．５から２０ニュートンの間の横力が、前記掌部の固定器の弾性変形により少なくとも３°の前記掌の面における該掌に関する角度の回転につながる、請求項１から請求項２２のいずれか一項に記載の自動義手。
【請求項２４】
前記角度の回転が少なくとも５°である、請求項２３に記載の自動義手。
【請求項２５】
前記掌に垂直の方向において前記指の端に適用される２．５から２０ニュートンの間の力が、前記掌部の固定器の弾性変形により少なくとも３°の前記掌と関連した前記指の角度の回転につながる、請求項１から請求項２４のいずれか一項に記載の自動義手。
【請求項２６】
前記角度の回転が少なくとも５°である、請求項２５に記載の自動義手。
【請求項２７】
前記掌部の固定器が、エラストマ、ゴム、シリコーン、圧縮可能なポリマーから構成される群の１つ又はそれ以上の材料で作成される、請求項１から請求項２６のいずれか一項に記載の自動義手。
【請求項２８】
前記掌部の固定器が炭化水素、過フッ化炭化水素又は二酸化ケイ素基の熱硬化性樹脂エラストマで作成される、請求項２７に記載の自動義手。
【請求項２９】
前記掌部の固定器が熱可塑性エラストマで作成される、請求項２７に記載の自動義手。
【請求項３０】
前記掌部の固定器が熱硬化性樹脂ゴムで作成される、請求項２７に記載の自動義手。
【請求項３１】
前記掌部の固定器が熱可塑性物質の材料で作成される、請求項１から請求項２６のいずれか一項に記載の自動義手。
【請求項３２】
前記掌部の固定器が本質的に柔軟な熱可塑性物質の材料で作成される、請求項３１に記載の自動義手。
【請求項３３】
前記掌部の固定器がこれらのいずれかのポリマー基の発泡した組成物で作成される、請求項２７から請求項３２のいずれか一項に記載の自動義手。
【請求項３４】
前記掌部の固定器が合金又はそのような材料の混合物あるいは複合材料で作成される、請求項２７から請求項３２のいずれか一項に記載の自動義手。
【請求項３５】
自動義手のための弾力的で可撓性があり、圧縮可能な掌部の固定器であって、第１の端部、本質的に該第１の端部に対向する第２の端部、及び、該自動義手の指のコネクタを収容するために必要な大きさにされる該第１の端部と該第２の端部の間で延長する複数の開口を含み、そこにおいて、該固定器は、マイナス２０℃から１００℃の範囲の温度で、０．０５から０．８の間のＤＭＴＡ減衰係数を有する材料で形成される、掌部の固定器。
【請求項３６】
０．０５から０．５の間のＤＭＴＡ減衰係数を有する、請求項３５に記載の自動義手。
【請求項３７】
２０％から６０％の間の弾力を有する、請求項３５又は請求項３６に記載の自動義手。
【請求項３８】
１０から９０の間のショアＡ硬度を有する、請求項３５から請求項３７のいずれか一項に記載の自動義手。
【請求項３９】
３０から６０の間のショアＡ硬度を有する、請求項３５から請求項３７のいずれか一項に記載の自動義手。
【請求項４０】
４０から９０の間のショアＤ硬度を有する、請求項３５から請求項３７のいずれか一項に記載の自動義手。
【請求項４１】
各々の前記開口の断面が円形ではない、請求項３５から請求項４０のいずれか一項に記載の掌部の固定器。
【請求項４２】
エラストマ、ゴム、シリコーン、圧縮可能なポリマーから構成される群の１つ又はそれ以上の材料で作成される、請求項３５から請求項４１のいずれか一項に記載の掌部の固定器。
【請求項４３】
炭化水素、過フッ化炭化水素又は二酸化ケイ素基の熱硬化性樹脂エラストマで作成される、請求項４２に記載の掌部の固定器。
【請求項４４】
熱可塑性エラストマで作成される、請求項４２に記載の掌部の固定器。
【請求項４５】
熱硬化性樹脂ゴムで作成される、請求項４２の掌部の固定器。
【請求項４６】
熱可塑性物質の材料で作成される、請求項３５から請求項４１のいずれか一項に記載の掌部の固定器。
【請求項４７】
前記掌部の固定器が本質的に柔軟な熱可塑性物質の材料で作成される、請求項４６に記載の掌部の固定器。
【請求項４８】
前記掌部の固定器がこれらのいずれかのポリマー基の発泡した組成物で作成される、請求項４２から請求項４７のいずれか一項に記載の掌部の固定器。
【請求項４９】
前記掌部の固定器が合金又はそのような材料の混合物あるいは複合材料で作成される、請求項４２から請求項４８のいずれか一項に記載の掌部の固定器。
【請求項５０】
ａ．掌；
ｂ．前記掌から延長する２つ又はそれ以上の指であって、各々の指が指関節接合、及び、接続用アームを含む成るコネクタによって該掌に取り付けられる指；
ｃ．前記指の少なくとも１つを動かすように構成される１つ又はそれ以上の駆動モーター；及び、
ｄ．２つ又はそれ以上のコネクタの間で延長する弾力的であり可撓性のある圧縮可能な掌部の固定器であって、第１の端部及び第２の端部を含み、１つ又はそれ以上の支持開口であって各々の支持開口が接続用アームの少なくとも一部をそこに保つように構成される支持開口を更に含む、掌部の固定器を含む自動義手。
【請求項５１】
ａ．掌；
ｂ．アクチュエータを受容するための凹部を含む前記掌に固定される弾力的な取付け部；及び、
ｃ．近端部及び末端部を有する第１のアクチュエータであって、該近端部が該弾力的な取付け部に取り付けられ、該末端部がそこから延長する親指を有する第１のアクチュエータ；を含み、
ｄ．そこにおいて、前記弾力的な取付け部により、少なくとも２°で前記掌に関して前記第１のアクチュエータの相対的な角度の変位が可能になる、自動義手。
【請求項５２】
前記弾力的な取付け部により、少なくとも５°で前記掌に関して前記第１のアクチュエータの相対的な角度の変位が可能になる、請求項５１に記載の自動義手。
【請求項５３】
前記第１のアクチュエータが回転の第１の面で前記掌と関連して前記親指を回転させ、前記義手が、該親指のグリップの動きの間、該アクチュエータは該第１の面での動きを抑制するために前記係合面を接触させるよう前記掌に関して位置をずらすよう、該親指に載置される第１の係合面、及び、該掌に載置される第２の係合面を含む、請求項５１又は請求項５２に記載の自動義手。
【請求項５４】
１つの前記係合面が起伏を有する、請求項５３に記載の自動義手。
【請求項５５】
両方の前記係合面が起伏を有する、請求項５３に記載の自動義手。
【請求項５６】
各々の前記起伏を有する表面がギア表面である、請求項５４又は請求項５５に記載の自動義手。
【請求項５７】
前記１つの係合面が高い摩擦係数を有する材料で形成される、請求項５３から請求項５６のいずれか一項に記載の自動義手。
【請求項５８】
ａ．掌；
ｂ．近端部及び末端部を有する第１のアクチュエータであって、該近端部は前記掌に枢着され、そこから延長する親指を有し、該アクチュエータが回転の第１の面において前記掌と関連して前記親指を回転させる第１のアクチュエータ；及び、
ｃ．前記親指のグリップの動きの間、前記アクチュエータが前記第１の面での動きを抑制するために前記係合面を接触させるよう前記掌に関して位置をずらすように、該親指に載置される第１の係合面、及び、前記掌に載置される第２の係合面；を含む、自動義手。
【請求項５９】
前記親指が前記第２の係合面から離れて付勢される、請求項５８に記載の自動義手。
【請求項６０】
ａ．外殻及び内部を含む掌；
ｂ．前記掌から延長する１つ又はそれ以上の指；及び、
ｃ．前記指のうちの少なくとも１つを動かすように構成される１つ又はそれ以上のモーター；を含み、
ｄ．そこにおいて、少なくとも１つの指は、親指が前記義手の前記掌の第１側部で又はその近くで載置される親指を形成し、該親指は本質的に少なくとも１つの他の指に対向し、該義手は、該親指の部分と前記掌の前記外殻の間に位置する圧縮可能な親指クッションを含む、自動義手。
【請求項６１】
前記親指は、前記掌の前記外殻から突出するように構成される親指本体、及び、該親指の本体の片側に延長する、該殻の内部に本質的に収容されるベース部材を含み、そこにおいて、前記圧縮可能な親指クッションが該ベース部材に載置される、請求項６０に記載の義手。
【請求項６２】
前記圧縮可能な親指クッションの片側が前記親指の片側と接触して配置される、請求項６１に記載の義手。
【請求項６３】
前記親指は、該親指が第１の軸の周りに巻きつき屈曲するように構成される第１のモーターを含む、請求項６１に記載の義手。
【請求項６４】
前記親指は、該親指が第２の軸の周りで前記掌の第２の側部の方へ／からヒンジ結合するように構成される第２のモーターを含み、該第２の側部は本質的に前記第１の側部に対向している、請求項６３に記載の義手。
【請求項６５】
前記第１のモーターが前記親指内に収容される、請求項６３又は請求項６４に記載の義手。
【請求項６６】
前記第２のモーターが前記ベース部材内で収容される、請求項６３又は請求項６４に記載の義手。
【請求項６７】
第１の表面を含む親指支持部を更に含み、そこにおいて、前記ベース部材は該親指支持部の該第１の表面上に位置するように構成される、請求項６１に記載の義手。
【請求項６８】
前記親指支持部が、前記ベース部材の少なくとも一部をそこに受容するように構成される傾斜した第１の凹部を含む第１の表面を含み、該凹部の角度は前記親指に向けられる、請求項６７に記載の義手。
【請求項６９】
前記親指支持部が第２の凹部を更に含み、前記親指が下部表面から延長する突起を含む下部表面を含み；そこにおいて、該突起は、該第２の凹部内で受容されるように構成される、請求項６７又は請求項６８に記載の義手。
【請求項７０】
前記突起及び第２の凹部は両方とも細長く、前記ベース部材の長さに対して本質的に垂直な方向に延長する、請求項６９に記載の義手。
【請求項７１】
前記突起及び凹部が両方とも半円筒状である、請求項７０に記載の義手。
【請求項７２】
ａ．掌；
ｂ．前記掌から延長する指；
ｃ．大歯車を駆動するアクチュエータ；及び、
ｄ．その出力に接続した前記指を動かすようにその入力において前記大歯車によって駆動され、クラッチに適用される回転力が制限を上回る場合に該クラッチがその入出力間での相対的な回転を可能にするための双方向性の過負荷保護を有する過負荷保護クラッチ；を含む、自動義手。
【請求項７３】
前記クラッチが、起伏する表面を有する前記大歯車によって駆動される第１のプレート、及び、前記掌と関連して前記指を回転させる前記第１のプレートに対向しその方へ付勢される補完的な起伏する表面を有する第２のプレートを含む、請求項７２に記載の自動義手。
【請求項７４】
前記起伏が相互係合するランプの形である、請求項７３に記載の自動義手。
【請求項７５】
３から８つのランプがプレートごとに提供される、請求項７４に記載の自動義手。
【請求項７６】
各々の前記ランプが、各々の前記プレートの表面に対して約５５°で傾いたランプ表面を有する、請求項７４又は請求項７５に記載の自動義手。
【請求項７７】
第１及び第２のプレートが前記大歯車の両側に提供される、請求項７２から請求項７６のいずれか一項に記載の自動義手。
【請求項７８】
前記第１及び第２のプレートが円盤バネによって共に付勢される、請求項７３から請求項７７のいずれか一項に記載の自動義手。
【請求項７９】
前記クラッチがボールクラッチの形である、請求項７２又は請求項７３に記載の自動義手。
【請求項８０】
前記クラッチが前記自動義手の指関節接合において提供される、請求項７２から請求項７９のいずれか一項に記載の自動義手。
【請求項８１】
前記アクチュエータが前記自動義手の前記掌の範囲内に配置される、請求項７２から請求項８０のいずれか一項に記載の自動義手。
【請求項８２】
前記アクチュエータが前記大歯車を駆動するウォーム歯車を駆動する、請求項７２から請求項８１のいずれか一項に記載の自動義手。
【請求項８３】
ａ．掌；
ｂ．クラッチを経て前記掌に接続される大歯車；及び、
ｃ．前記掌に関して前記指を回転させるように前記大歯車に係合するギアを駆動するアクチュエータを含む前記掌から延長する指；を含み、
ｄ．そこにおいて、前記クラッチは、前記大歯車により該クラッチに適用される回転力が制限を超える場合、該クラッチが前記指と前記掌の間の相対的な回転を可能にするように双方向性の過負荷保護を有する過負荷保護クラッチである、自動義手。
【請求項８４】
前記クラッチが、起伏する表面を有する前記大歯車によって駆動される第１のプレート、及び、前記掌に載置される前記第１のプレートに対向しその方へ付勢される補完的な起伏する表面を有する第２のプレートを含む、請求項８３に記載の自動義手。
【請求項８５】
前記起伏が相互係合するランプの形である、請求項８４に記載の自動義手。
【請求項８６】
第１及び第２のプレートが前記大歯車の両側に提供される、請求項８４又は請求項８５に記載の自動義手。
【請求項８７】
前記第１及び第２のプレートが円盤バネによって共に付勢される、請求項８４から請求項８６のいずれか一項に記載の自動義手。
【請求項８８】
ａ．掌；
ｂ．前記掌から延長する２つ又はそれ以上の指；
ｃ．前記指の少なくとも１つを動かすように構成される１つ又はそれ以上のモーター；及び、
ｄ．第１の指の駆動から前記モーターの１つを係合し分離するように構成される少なくとも１つのクラッチ装置であって、該クラッチ装置は：
ｉ．モーターによって回転するように構成される被駆動要素であって、接触面を含む被駆動要素；
ｉｉ．前記被駆動要素の前記接触面と係合するように構成される第１の表面を含む、クランプ部材；及び、
ｉｉｉ．前記クランプ部材の前記第１の表面を前記被駆動要素の前記接触面に対して押圧させるように構成される圧縮部材；を含む、自動義手であって、
そこにおいて、前記クラッチ装置も前記第１の指と係合するように構成される、自動義手。
【請求項８９】
前記被駆動要素の前記接触面が１つ又はそれ以上のオス側係合部材を含み、前記クランプ部材が１つ又はそれ以上のメス側係合部材を含み、各々の該オス側係合部材は、前記被駆動要素及びクランプ部材を互いに係合するためにそれぞれのメス側係合部材において少なくとも部分的に受容されるように構成される、請求項８８に記載の自動義手。
【請求項９０】
前記１つ又はそれ以上のメス側係合部材の各々が本質的にくぼんだ凹部を含む、請求項８９に記載の自動義手。
【請求項９１】
前記１つ又はそれ以上のオス側係合部材の各々が本質的に凸面又は球面突起を含む、請求項９０に記載の自動義手。
【請求項９２】
前記被駆動要素の前記接触面が１つ又はそれ以上の開口を含み、そこにおいて、各々の該開口は閉じた端部を含み、前記オス側係合部材が該接触面から突出するように、該接触面で又はその近くで該オス側係合部材を受容するように構成され、そして、前記圧縮部材は、該オス側係合部材と該開口の該閉じた端部の間の開口で保たれる、請求項９１に記載の自動義手。
【請求項９３】
前記圧縮部材が圧縮して保たれるバネである、請求項９２に記載の自動義手。
【請求項９４】
前記オス側係合部材がボールである、請求項９２又は請求項９３に記載の自動義手。
【請求項９５】
前記被駆動要素の前記接触面が１つ又はそれ以上のメス側係合部材を含み、前記クランプ部材が１つ又はそれ以上のオス側係合部材を含み、各々の該オス側係合部材は、前記被駆動要素とクランプ部材を互いに係合するため、それぞれの該メス側係合部材において少なくとも部分的に受容されるように構成される、請求項８８に記載の自動義手。
【請求項９６】
前記１つ又はそれ以上のメス側係合部材の各々が本質的にくぼんだ凹部を含む、請求項９０に記載の自動義手。
【請求項９７】
前記１つ又はそれ以上のオス側係合部材の各々が本質的に凸面又は球面突起を含む、請求項９０に記載の自動義手。
【請求項９８】
前記クランプ部材の前記第１の表面が１つ又はそれ以上の開口を含み、そこにおいて、各々の該開口は閉じた端部を含み、前記第１の表面で又はその近くで前記オス側係合部材を受容するように構成され、そして、前記圧縮部材は、該オス側係合部材と該開口の該閉じた端部の間の開口の中で保たれる、請求項９１に記載の自動義手。
【請求項９９】
前記圧縮部材が圧縮して保たれるバネである、請求項９１に記載の自動義手。
【請求項１００】
前記オス側係合部材がボールである、請求項９２に記載の自動義手。
【請求項１０１】
前記クランプ部材が、前記第１の指と係合するように構成される第２の表面を含む、請求項８８に記載の自動義手。
【請求項１０２】
前記クランプ部材が、該クランプ部材の第１の表面を含む第１の要素、及び、該クランプ部材の第２の表面を含む第２の要素を含み、そして前記圧縮部材は、該第１及び第２の表面の間に位置するバネ座金を含む、請求項８８に記載の自動義手。
【請求項１０３】
１つ又はそれ以上のオス側係合部材が前記クランプ部材の前記第１の表面から突出し、前記被駆動要素の前記接触面に提供される１つ又はそれ以上のメス側係合部材と係合するように構成される、請求項１０２に記載の自動義手。
【請求項１０４】
前記クランプ部材の前記第２の表面が前記第１の指の前記本体と係合するように構成され、そして、該第１の指の該本体は、その中に該クランプ部材の該２の表面を受容するように構成される受容要素を含む内部の表面を含む、請求項１０１、請求項１０２又は請求項１０３に記載の自動義手。
【請求項１０５】
前記受容要素が、開口、凹部、又は、領域に接する少なくとも１つの壁あるいは複数の突出するアームによって定義される領域を含む、請求項１０４に記載の自動義手。
【請求項１０６】
前記被駆動要素の前記接触面が本質的に円形であり、そこにおいて、前記クランプ部材は、２つの遠方端部を含む本体と、該クランプ部材の前記第１の表面を含む本質的にくぼんだ内部の表面を含み、前記被駆動要素の前記接触面の少なくとも半分を本質的に囲むように構成され、そして、前記圧縮部材は、該クランプ部材の該第１の表面を該被駆動要素の該接触面に対して締着するために該クランプ部材の少なくとも１つの遠方端部をもう一方の遠方端部の方へ押圧するように構成される、請求項８８に記載の自動義手。
【請求項１０７】
前記被駆動要素の前記接触面が本質的に円形であり、そこにおいて、前記クランプ部材はリング状の本体から延長する２つの遠方端部を含む本質的にリング状の本体を含み、またそこにおいて、該本質的にリング状の本体が、該クランプ部材の該第１の表面を含み、前記被駆動要素の前記接触面を本質的に囲むように構成される内部の表面を含み、そして、前記圧縮部材は、該クランプ部材の該第１の表面を該被駆動要素の該接触面に対して締着するために該クランプ部材の少なくとも１つの遠方端部をもう一方の遠方端部の方へ押圧するように構成される、請求項８８に記載の自動義手。
【請求項１０８】
前記クランプ部材が前記第１の指の前記本体と係合するように構成される、請求項１０５に記載の自動義手。
【請求項１０９】
前記第１の指の前記本体の内部の表面が前記クランプ部材の少なくとも一部をその中に受容するように構成される受容要素を含み、そして該受容要素は、該クランプ部材と合うように成形される凹部を含む、請求項１０８に記載の自動義手。
【請求項１１０】
前記被駆動要素及びクランプ要素が、該被駆動要素及びクランプ要素において形成される車軸受容開口を通過する共通の車軸で支えられる、請求項８８に記載の自動義手。
【請求項１１１】
ａ．掌；
ｂ．前記掌から延長する２つ又はそれ以上の指；
ｃ．前記指の少なくとも１つを動かすように構成される１つ又はそれ以上のアクチュエータ；及び
ｄ．前記掌をアーム部材に接続するように構成される手首接合；を含み、
e．そこにおいて、前記手首接合は、前記掌を前記車軸の周りで回転させるため、前記掌と係合する対向する端部を有する車軸を含み；
f．アーム部材と関連して前記掌を定位置に固定するように構成される前記掌に配置される係止メカニズム；を含む、自動義手。
【請求項１１２】
前記係止メカニズムが前記掌と前記アーム部材の間の係止可能な可変的な長さの連結を含む、請求項１１１に記載の自動義手。
【請求項１１３】
前記可変的な長さの連結が、前記アーム部材に接続されるロッド、及び、係止部に関して該ロッドを固定するために該ロッドと選択的に係合してもよい前記掌に接続される係止部を含む、請求項１１２に記載の自動義手。
【請求項１１４】
前記ロッドがその長さに沿って一連の段差を有する、請求項１１３に記載の自動義手。
【請求項１１５】
前記係止メカニズムが、前記車軸と係合する位置決め部材、及び、該位置決め部材と関連して前記掌を定位置に固定するように構成される係止部を含み；そこにおいて、該係止部及び該位置決め部材の少なくとも一部は、前記義手の該掌の範囲内に配置される、請求項１１１に記載の自動義手。
【請求項１１６】
前記係止メカニズムが前記義手の前記掌の範囲内に配置される車軸；該掌と共に位置する係止アームを含む位置決め部材；及び、該掌の範囲内に配置される係止部材；を含み、そこにおいて、該係止部材は、該掌を中立位置、巻きついた位置又は屈曲した位置に固定するために該位置決め部材と係合するように構成される、請求項１１１に記載の自動義手。
【請求項１１７】
前記係止アームが複数の開口部を含み、前記係止部材が該開口部のいずれかの中で受容されるように構成される係止ピンを含む、請求項１１６に記載の自動義手。
【請求項１１８】
前記車軸が一対の本質的に圧縮可能な車軸取付け部によって前記掌の範囲内で支持される、請求項１１６に記載の自動義手。
【請求項１１９】
前記手首接合が、前記位置決め部材に取り付けられ、前記アーム部材に取り付けられるように構成されるコネクタを更に含む、請求項１１５から請求項１１８のいずれか一項に記載の自動義手。
【請求項１２０】
前記位置決め部材が前記コネクタと関連して回転するように構成される、請求項１１９に記載の自動義手。
【請求項１２１】
前記位置決め部材が少なくとも１つの係止用指部を含み、前記コネクタは、該コネクタと関連して該位置決め部材を適所に固定するために該係止用指部に係合するように構成される一連のインデックス化小結節を含み、そこにおいて、該少なくとも１つの係止用指部は、該位置決め部材が該コネクタと関連して回転させられる場合、該インデックス化小結節から離れるように構成される、請求項１２０に記載の自動義手。
【請求項１２２】
前記手首接合は、前記位置決め部材と前記コネクタの間に配置される防水封止を更に含む、請求項１１９に記載の自動義手。
【請求項１２３】
電動端末装置のための手首接合であって、該手首接合が該電動端末装置及びアーム部材に取り付けられるように構成され、そして、該手首接合は、第１の端部及び第２の端部を含む本体を含み、該第２の端部は、該アーム部材の方へ面するように構成され、ユーザの基部の一部が該手首接合の少なくとも一部を通って延びることができるために該手首接合本体の本質的に中空の領域に延長する開口を含む、手首接合。
【請求項１２４】
前記開口が前記手首接合の前記第１及び第２の端部の間で延長する、請求項１２３に記載の手首接合。
【請求項１２５】
前記掌が前記手首接合と関連してヒンジ結合することができるために回転可能に該掌に取り付けられる車軸を更に含む、請求項１２３に記載の手首接合。
【請求項１２６】
前記手首接合は、前記義手が前記アーム部材と関連して回転することができるように構成される、請求項１２３に記載の手首接合。
【請求項１２７】
前記電動端末装置が電力供給されたフックを含む、請求項１２３から請求項１２６のいずれか一項に記載の手首接合。
【請求項１２８】
前記電動端末装置が自動義手を含む、請求項１２３から請求項１２６のいずれか一項に記載の手首接合。
【請求項１２９】
ａ．掌；
ｂ．前記掌から延長する２つ又はそれ以上の指；
ｃ．前記指の少なくとも１つを動かすように構成される１つ又はそれ以上のアクチュエータ；
ｄ．ディスプレイ；及び、
e．前記１つ又はそれ以上のアクチュエータに接続され、ｉ．ユーザからの１つ又はそれ以上のＥＭＧ信号；及び、ｉｉ．前記義手上に位置するユーザーインタフェースからの１つ又はそれ以上電子信号；を受信するように構成され、
前記受信した信号に従い前記指に所定のグリップパターンを取らせ、前記ディスプレイ上に該選択されたグリップパターンを表示する制御システムを含む、自動義手。
【請求項１３０】
前記ディスプレイが複数のＬＥＤを含む、請求項１２９に記載の自動義手。
【請求項１３１】
前記ディスプレイが英数字ディスプレイを含む、請求項１２９に記載の自動義手。
【請求項１３２】
前記制御システムが受信されたＥＭＧ信号の属性を表示する請求項１３０から請求項１３２のいずれか一項に記載の自動義手。
【請求項１３３】
前記ディスプレイが、前記制御システムによって受信されたＥＭＧ信号の強度を示す、請求項１３２に記載の自動義手。
【請求項１３４】
前記義手が前記制御システムによって信号が受信されたことを示す１つ又はそれ以上の指示器を更に含む、請求項１２９から請求項１３３のいずれか一項に記載の自動義手。
【請求項１３５】
前記義手は、それを通じてユーザが該義手に所定のグリップパターンを取らせてもよい１つ又はそれ以上の入力部材を含むユーザーインタフェースを含む、請求項１２９から請求項１３４のいずれか一項に記載の自動義手。
【請求項１３６】
前記１つ又はそれ以上の入力部材が１つ又はそれ以上のボタンを含む、請求項１３５に記載の自動義手。
【請求項１３７】
前記ユーザーインタフェースが、１つ又はそれ以上の入力部材及び１つ又はそれ以上の視覚の指示器を含むパネルを含む、請求項１３５に記載の自動義手。
【請求項１３８】
ａ．液体に沈められた時に防水である封止された掌の領域；
ｂ．前記掌に載置された２つ又はそれ以上の封止された指関節接合；
ｃ．それぞれの封止された前記指関節接合から延長する２つ又はそれ以上の指；及び、
ｄ．前記指を動かすように前記封止された指関節接合を駆動する、前記封止された掌の領域内で載置される１つ又はそれ以上のアクチュエータ；を含む、自動義手。
【請求項１３９】
前記掌との封止された連結を形成し、その中の開口の範囲内に載置される前記アクチュエータを有する弾力的な掌部の固定器を含む、請求項１３８に記載の自動義手。
【請求項１４０】
ａ．掌；
ｂ．前記掌から延長する２つ又はそれ以上の指；及び、
ｃ．前記指の少なくとも１つを動かすように構成される１つ又はそれ以上のモーター；を含み、
ｄ．そこにおいて、液体に沈められる場合に前記自動義手が作動するように構成される、自動義手。
【請求項１４１】
前記義手がスリーブを含む下部のアーム部材に前記掌を取り付けるように構成される手首接合を含み、そして該手首接合は、該スリーブへの防水取付け部を形成するように構成される、請求項１４０に記載の自動義手。
【請求項１４２】
前記手首接合が、その周りで前記掌が巻きつく、屈曲する及び／又は横に回転することができる車軸を含む、請求項１４０に記載の自動義手。
【請求項１４３】
前記手首接合が、前記義手の前記掌及び／又は指の電子部品と前記スリーブの電子部品を接続する電気コネクタを保つように構成される、請求項１４０から請求項１４２のいずれか一項に記載の自動義手。
【請求項１４４】
水中使用可能なアセンブリに含まれる制御電子装置及びアクチュエータを含む水中使用可能な掌、該掌から延長する複数の指、及び、前記義手に固定される取り外し可能なプレートを含む、自動義手。
【請求項１４５】
前記プレートが前記掌の前記下部に固定される、請求項１４４に記載の自動義手。
【請求項１４６】
前記プレートが前記掌の前記上部に固定される、請求項１４４に記載の自動義手。
【請求項１４７】
前記プレートが指の指先に固定される、請求項１４４に記載の自動義手。
【請求項１４８】
前記プレートが堅固なベース層、及び、より柔軟な材料で形成された表面層で構成される、請求項１４４から請求項１４７のいずれか一項に記載の自動義手。
【請求項１４９】
前記表面層が１５から９０の間のショアＡ硬度を有する、請求項１４８に記載の自動義手。
【請求項１５０】
前記表面層が５０から９０の間のショアＡ硬度を有する、請求項１４８に記載の自動義手。
【請求項１５１】
前記表面層が約６０のショアＡ硬度を有する、請求項１４８に記載の自動義手。
【発明の詳細な説明】
【技術分野】
【０００１】
本発明は、人工装具の義手のような自動義手、及び、自動義手の構成要素に関する。
【背景技術】
【０００２】
自動義手は人工装具の義手として一般に用いられ、目標物をグリップし、他の人と握手をし、人間の手で一般に実行される他のタスクを実行するために使用されている。
【０００３】
しかしながら、従来の自動義手は、いくつかの不利な点を有する。多くの義手は必然的に大きく、義手内で作動部を収めるためにかさばるものである。これにより、義手は不自然に見えてしまう。
【０００４】
従来の自動義手は概して、目標物に確実にグリップするように目標物の周りで屈曲及び湾曲することができない。飲用グラス又はボトルのように目標物が湾曲しているあるいは滑りやすい場合に、これは特に問題となる。公知の自動義手のモーターはまた、適切なグリップを提供するために酷使される可能性があり、したがって、急速に摩耗してしまう。更に、これらの義手は湾曲せず屈曲しないので、握手の際に不自然な感触がする可能性がある。
【０００５】
従来の自動義手の概して堅固な性質のため、これらの義手のモーター及び電子装置のような高感度な構成要素は、衝撃力により、特に小指の近くの義手の側部が固い表面に対してぶつかる、あるいは親指の外側の端が側面の衝撃を受ける部分の側面の衝撃力により壊れることがよくある。
【０００６】
公知の自動義手に関する他の問題は、義手自体が防水ではないことである。その代わりに、ユーザは、義手の高感度作動部及び電子装置の構成要素を保護するために義手の上に防水の手袋を着用しなければならない。
【０００７】
公知の自動義手は一般に、手指を特定の位置の方に付勢して衝撃を吸収する抵抗バネを含む複雑な手指の作動システムを含む。義手のモーターが手指を付勢しない位置に駆動する場合、バネからの抵抗によって手指が要求よりも遅く動き、駆動モーターが酷使され、電池の電力を急速に消耗させる可能性がある。ある設計では衝撃力を吸収する一方向のクラッチを含むが、これらは対向する方向の衝撃に対して保護するものではない。モーターはまた、静止した歯車と関連して指を駆動するウォーム歯車を有する指の範囲内で提供されてもよい。この配置によって、指を動かす時に動かされなければならない質量は増加し、指に沿った配線が必要となり、結合のために使用可能な空間は制限される。限られた空間のために、クラッチメカニズムを収容することは非常に難しい。
【０００８】
公知の自動義手のモーター及び作動部はまた、義手の指があまりに大きい引張力又は端部の衝撃にさらされる場合に損傷しやすい。これは、指が概して直接モーターに接続されて、強い力にさらされる場合にモーターから離れることができないためである。
【０００９】
従来の自動義手には、手首位置決めシステムが提供されてもよいが、これらのシステムは概して複雑で、大きく扱いにくく、腕から離れて掌が延長することで、手首は伸張した、重く、不格好かつ不自然に見えるように作成されてしまう。加えて、義手が手首に関して動かす方法が制限され、手首は概して液体に対応していない。
【００１０】
手足の一部を失った切断患者のための訓練用義手として自動義手が使われることは公知であるにもかかわらず、これらの義手は、ＥＭＧ（筋電図記録）信号がユーザによって受信されたか、及び／又はどのグリップが選ばれたかを示す指示表示を提供しない。結果的に、特に、どのグリップパターンが選ばれたかがわからない、あるいはＥＭＧ信号が受信されているかどうかがわからない場合に、義手のグリップパターンを変えるのに必要であるＥＭＧアルゴリズムに慣れることは、手を切断した患者にとってフラストレーションを与えるものとなる可能性がある。
【００１１】
周知の自動義手の重大な不利な点は、作動部、特に電子装置が湿気に影響されやすいことである。その結果として、浴槽、シャワー、又は皿を洗うような湿気のある環境においては、損傷を与えずに素手が使えないことになる。湿気のある環境では、義手の上に防水の手袋を装着することによってのみ、周知の義手を使用することが可能である。人工装具の義手上に手袋を着用することは難しいので、このことがユーザにフラストレーションを与える可能性がある。手袋はまた、消耗し、容易に引き裂かれる可能性がある。
【００１２】
自動義手上のグリップ表面はまた、あまりに柔軟な材料で接触面が形成される場合には過剰な摩耗を被り、材料が摩耗し難い固い材料で形成される場合には適切なグリップを提供することができない可能性がある。
【発明の概要】
【発明が解決しようとする課題】
【００１３】
それゆえに、本発明の目的は、１つ又はそれ以上の従来技術の不都合を少なくともある程度克服する、あるいは既存の自動義手の有用な代替物を少なくとも提供する自動義手を提供することである。
【課題を解決するための手段】
【００１４】
第１の態様において、掌；掌に付属した１つ又はそれ以上の弾力的で可撓性があり、圧縮可能な取付け部；及び、掌に関連して移動可能であり各々がそこから延長する指を有する１つ又はそれ以上のコネクタであって、横力が指に適用される場合に各々のコネクタが取付け部の周りを回転することができるように、各々のコネクタはそれぞれの取付け部に載置されるコネクタ；を含む自動義手が提供される。
【００１５】
各々のコネクタは、掌の面又は掌の面に対して垂直の面で回転することができる。単一の一体的な取付け部が提供されても、あるいは多くの別個の取付け部が提供されてもよい。取付け部は、マイナス２０℃から１００℃の範囲の温度で、０．０５から０．８の間、好ましくは０．０５から０．５の間のＤＭＴＡ減衰係数を有する材料で最適に形成されてもよい。材料は好ましくは、２０％から６０％の間の弾力、及び、１０から９０の間のショアＡ硬度（より好ましくは３０から６０の間のショアＡ硬度）、又は、代わりに４０から９０のショアＤ硬度を有する。掌部の固定器は、掌部の固定器の弾性変形により可能になるアクチュエータと掌の間の相対的な動きのために少なくとも２つの指が少なくとも５°で、好ましくは少なくとも１０°で、より好ましくは少なくとも２０°で離れて広げられてもよいような弾力を好ましくは有する多数の取付け部又は複数の開口を有する単一の取付け部を含む。掌部の固定器はまた好ましくは、各々のアクチュエータが掌部の固定器の弾性変形により掌と関連して少なくとも２°（好ましくは５°、より好ましくは１０°）で回転してもよいように掌に垂直の方向で指に適用する力の衝撃吸収を提供する。指の端へ横にあるいは垂直に適用される２．５から２０ニュートンの力のために、好ましくは、掌部の固定器の弾性変形により掌の面の少なくとも３°、好ましくは少なくとも５°で掌に関して角度の回転が生じる。
【００１６】
掌部の固定器は、エラストマ、ゴム、シリコーン、圧縮可能なポリマー又は熱可塑性物質の材料で形成されてもよい。好ましくは、材料は（炭化水素、過フッ化炭化水素又は二酸化ケイ素基のいずれかの）熱硬化性エラストマ、熱可塑性エラストマ、熱硬化性樹脂ゴム、本質的に柔軟な熱可塑性物質である。それはまた、合金又はその混合、あるいは上記のポリマーのいずれかの発泡体の構成であってもよい。
【００１７】
別の態様においては、掌；アクチュエータを受容する凹部を含む掌に固定される弾力的な取付け部；及び、近端部と末端部を有する第１のアクチュエータであって、近端部は凹部内に取り付けられ、末端部はそこから延長する親指を有する第１のアクチュエータ；を含み、そこで、弾力的な取付け部により、少なくとも２°で掌に関して第１のアクチュエータの相対的な角度の変位が可能になる自動義手が提供される。第１のアクチュエータは、回転の第１の面で掌と関連して親指を回転することができ、親指のグリップする動きの間、アクチュエータが、係合面と接触させて第１の面における動きを抑制するために掌に対して位置がずれるように、義手は、親指に載置する第１の係合面、及び、掌に載置する第２の係合面を含む。
【００１８】
更なる態様によれば、掌；近端部及び末端部を有する第１のアクチュエータであって、近端部は掌に枢着され、そこから延長する親指を有し、アクチュエータは回転の第１の面の掌と関連して親指を回転させる第１のアクチュエータ；及び、親指のグリップする動きの間、アクチュエータが、係合面と接触させて第１の面における動きを抑制するために掌に対して位置がずれるように、親指に載置する第１の係合面及び掌に載置する第２の係合面；を含む自動義手が提供される。
【００１９】
更なる態様によれば、掌；掌から延長する指；歯車を駆動するアクチュエータ；及び、歯車によって駆動され、その入力で動くように指をその出力に接続させて、クラッチに適用される回転力が制限を上回る場合にクラッチがその入出力間での相対的な回転を可能にするような双方向性過負荷保護を有する過負荷保護クラッチ；を含む自動義手が提供される。
【００２０】
更なる態様によれば、掌；クラッチを経て掌に接続される歯車；及び、掌に対して指を回転させるように歯車に係合されるギアを駆動するアクチュエータを含む掌から延長する指；を含み、そこにおいて、クラッチは、歯車によってクラッチに適用される回転力が制限を上回る場合、クラッチが指と掌の間の相対的な回転を可能にするような双方向性過負荷保護を有する過負荷保護クラッチである自動義手が提供される。
【００２１】
更なる態様によれば、掌；掌から延長する２つ又はそれ以上の指；少なくとも１つの指を動かすように構成される１つ又はそれ以上のモーター；掌をアーム部材に接続するように構成される手首接合であって、そこにおいて、手首接合は、掌が車軸の周りを回転することができるように掌と係合する対向する端部を有する車軸を含むような手首接合；及び、アーム部材と関連して掌を定位置に係止するように構成される掌に配置される係止メカニズム；を含む自動義手が提供される。
【００２２】
更なる態様によれば、液体に沈められた時に防水する封止された掌の領域；掌に取付けられた２つ又はそれ以上の封止された指関節接合；それぞれの封止された指関節接合から延長する２つ又はそれ以上の指；及び、指を動かすように封止された指関節接合を駆動する封止された掌の領域内で載置される１つ又はそれ以上のアクチュエータを含む自動義手が提供される。
【００２３】
更なる態様によれば、本発明は、掌；掌から延長する２つ又はそれ以上の指；及び、少なくとも１つの指を動かすように構成される１つ又はそれ以上の駆動モーターを含む自動義手が提供される。各々の指は、指関節接合及び接続用アームを含むコネクタによって掌に取り付けられる。自動義手はまた、２つ又はそれ以上のコネクタの間で延長する弾力的で可撓性のある圧縮可能な掌部の固定器を含む。掌部の固定器は、第１の端部、第２の端部、及び、１つ又はそれ以上の支持開口を含む。各々の支持開口は、少なくとも一部の接続用アームをそこに保つように構成される。
【００２４】
１つ又はそれ以上の支持開口は、掌部の固定器の第１の端部及び第２の端部の間で延長する。
【００２５】
随意に、各々の支持開口は本質的に円筒状であり、各々の接続用アームは、本質的に円筒状でありかつそれぞれの支持開口内で入れ子になるように構成される。
【００２６】
１つの形状において、義手は、掌部の固定器の１つ又はそれ以上の支持開口内で支持される１つ又はそれ以上の指の回転を防ぐように構成される回転防止システムを含む。
【００２７】
１つの形状において、少なくとも１つの支持開口は、支持開口内で接続用アームの回転を防ぐために接続用アームの対応する止め具に係合するように構成される少なくとも１つの止め具を含む。好ましくは、支持開口は、凹部又は開口内で突起を保つために少なくとも１つの突起と係合するように構成される少なくとも１つの凹部又は開口を含む。
【００２８】
１つの形状において、少なくとも１つのコネクタは、接続用アーム、モーター筐体、及び、接続用アームとモーター筐体の間に位置する指関節接合を含む。モーター筐体は指のうちの１つの範囲内に位置し、接続用アームは掌の範囲内に位置する。
【００２９】
好ましくは、少なくとも１つの接続用アームは、駆動モーターを収容するモーター筐体を含む。
【００３０】
随意に、掌部の固定器は、エラストマ、ゴム、シリコーン、圧縮可能なポリマーから構成される群の１つ又はそれ以上の材料で作成される。
【００３１】
更なる態様によれば、本発明は、第１の端部、及び、第１の端部に本質的に対向する第２の端部を含み、第１の端部と第２の端部の間で延長する１つ又はそれ以上の開口を更に含む、弾力的で可撓性のある圧縮可能な掌部の固定器を提供する。
【００３２】
更なる態様によれば、本発明は、掌；及び、掌から延長する２つ又はそれ以上の指；を含む自動義手を提供し、そこにおいて、少なくとも１つの指は、義手の掌の第１の側部、あるいはその近くに取り付けられる親指を形成し、またそこにおいて、親指は本質的に少なくとも１つの他の指に対向し、そして、義手は親指の一部と接触して配置される圧縮可能な親指クッションを含む。圧縮可能な親指クッションは、側面の衝撃下にある親指の側面の動きを弱めて、グリップの対応性を提供するように構成されてもよい。
【００３３】
好ましくは、親指は、親指の片側に延長するベース部材に接続され、圧縮可能な親指クッションはベース部材に載置される。
【００３４】
好ましくは、圧縮可能な親指クッションの片側は、親指の片側と接触して配置される。
【００３５】
１つの形状において、親指は、第２の軸の周りに親指を巻きつけかつ屈曲させるように構成される第１のモーターを含む。好ましくは、第１のモーターは、親指内に収容される。
【００３６】
１つの形状において、親指は、親指が第１の軸の周りで掌の第２の側部にヒンジ接合しかつそこから離れるように構成される第２のモーターを含み、第２の側部は、第１の側部に本質的に対向している。好ましくは、第２のモーターはベース部材内に収容される。
【００３７】
義手はまた、第１の表面を含む親指支持部を含んでもよく、そこにおいて、ベース部材は、親指支持部の第１の表面上に位置するように構成される。好ましくは、親指支持部は、ベース部材の少なくとも一部をそこに受容するように構成される傾斜した第１の凹部を含む第１の表面を含み、そこにおいて、凹部の角度は、親指に向かって傾いている。
【００３８】
第１の凹部は、その最深端部で開口部を含んでもよい。
【００３９】
親指支持部は第２の凹部を更に含んでもよく、親指は、底面から延長する突起を含む底面を含み；そこにおいて、突起は第２の凹部内で受容されるように構成される。
【００４０】
１つの形状において、突起及び第２の凹部は両方とも、本質的にベース部材の長さに対して垂直な方向に伸びて延長する。好ましくは、突起及び凹部は両方とも、半円筒状である。
【００４１】
更なる態様によれば、本発明は、掌；掌から延長する２つ又はそれ以上の指；指の少なくとも１つを動かすように構成される１つ又はそれ以上のモーター；及び、少なくとも１つのクラッチ装置；を含む自動義手を提供する。クラッチ装置は、モーターのうちの１つと係合し、第１の指の駆動から分離するように構成される。クラッチ装置はまた、第１の指と係合するように構成される。クラッチ装置は、接触面を含み、モーターによって回転するように構成される被駆動要素を含む。クラッチ装置はまた、被駆動要素の接触面に係合して構成される第１の表面；及び、クランプ部材の第１の表面が被駆動要素の接触面に対して押圧するように構成される圧縮部材を含むクランプ部材を含む。
【００４２】
好ましくは、被駆動要素の接触面は１つ又はそれ以上のオス側係合部材を含み、クランプ部材は１つ又はそれ以上のメス側係合部材を含む。各々のオス側係合部材は、被駆動要素及びクランプ部材を互いに係合するためにそれぞれのメス側係合部材において少なくとも部分的に受容されるように構成されてもよい。
【００４３】
１つの形状において、１つ又はそれ以上のメス側係合部材の各々は、本質的にくぼんだ凹部を含む。好ましくは、１つ又はそれ以上のオス側係合部材の各々は、本質的に凸面である又は球面突起を含む。
【００４４】
好ましくは、被駆動要素の接触面は、１つ又はそれ以上の開口を含む。各々の開口は閉じた端部を含み、接触面で又はその近くでオス側係合部材が接触面から突出するようにオス側係合部材を受容するために構成され、そこにおいて、圧縮部材は、オス側係合部材と開口の閉じた端部の間の開口内で保たれる。
【００４５】
好ましくは、圧縮部材は圧縮して保たれるバネである。
【００４６】
１つの形状において、オス側係合部材は玉軸受のようなボールである。他の形状において、オス側係合部材はダボであってもよい。
【００４７】
好ましくは、被駆動要素の接触面は１つ又はそれ以上のメス側係合部材を含み、クランプ部材は１つ又はそれ以上のオス側係合部材を含む。各々のオス側係合部材は、被駆動要素及びクランプ部材を互いに係合するためにそれぞれのメス側係合部材において少なくとも部分的に受容されるために構成されてもよい。
【００４８】
好ましくは、１つ又はそれ以上のメス側係合部材の各々は、本質的にくぼんだ凹部を含む。より好ましくは、１つ又はそれ以上のオス側係合部材の各々は、本質的に凸面である又は球面突起を含む。
【００４９】
１つの形状において、クランプ部材の第１の表面は１つ又はそれ以上の開口を含み、そこにおいて、各々の開口は閉じた端部を含み、第１の表面で又はその近くでオス側係合部材を受容するように構成され、またそこにおいて、圧縮部材は、オス側係合部材と開口の閉じた端部の間の開口内で保たれる。
【００５０】
好ましくは、圧縮部材は圧縮して保たれるバネである。
【００５１】
１つの形状において、オス側係合部材は玉軸受のようなボールである。他の形状において、オス側係合部材はダボであってもよい。
【００５２】
好ましくは、クランプ部材は、第１の指と係合するように構成される第２の表面を含む。
【００５３】
１つの形状において、クランプ部材は、クランプ部材の第１の表面を含む第１の要素を含む。クランプ部材はまた、クランプ部材の第２の表面を含む第２の要素を含む。圧縮部材は、第１及び第２の表面の間に位置するバネ座金を含む。
【００５４】
好ましくは、１つ又はそれ以上のオス側係合部材は、クランプ部材の第１の表面から突出し、被駆動要素の接触面に提供される１つ又はそれ以上のメス側係合部材に係合するように構成される。
【００５５】
１つの形状において、クランプ部材の第２の表面は、第１の指の本体と係合するように構成される。第１の指の本体は、クランプ部材の第２の表面をそこに受容するように構成される受容要素を含む内部の表面を含む。
【００５６】
好ましくは、受容要素は、開口、凹部、あるいは、領域に接する少なくとも１つの壁、又は、複数の突出するアームによって定められる領域を含む。
【００５７】
１つの形状において、被駆動要素の接触面は本質的に円形であり、クランプ部材は、２つの遠方端部を含み、かつ、クランプ部材の第１の表面を含み、被駆動要素の接触面の少なくとも半分を本質的に囲むように構成される本質的にくぼんだ内部表面を含む本体を含む。圧縮部材は、被駆動要素の接触面に対してクランプ部材の第１の表面を締着するために、クランプ部材の少なくとも１つ遠方端部を他の遠方端部の方へ押圧するように構成される。
【００５８】
他の形状において、被駆動要素の接触面は本質的に円形であり、クランプ部材は、リング状の本体から延長する２つの遠方端部を含む本質的にリング状の本体を含む。本質的にリング状の本体はクランプ部材の第１の表面を含み、被駆動要素の接触面を本質的に囲むように構成される内部表面を含む。圧縮部材は、被駆動要素の接触面に対してクランプ部材の第１の表面を締着するために、クランプ部材の少なくとも１つの遠方端部を他の遠方端部の方へ押圧するように構成される。
【００５９】
好ましくは、クランプ部材は第１の指の本体と係合するように構成される。
【００６０】
１つの形状において、第１の指の本体の内部表面は、クランプ部材の少なくとも一部をそこに受容するように構成される受容要素を含む。受容要素は、クランプ部材と合うように成形される凹部を含む。
【００６１】
好ましくは、被駆動要素及びクランプ要素は、被駆動要素及びクランプ要素において形成される車軸受容開口を通過して共通の車軸によって支持される。
【００６２】
更なる態様によれば、本発明は、掌；掌から延長する２つ又はそれ以上の指；少なくとも１つの指を動かすように構成される１つ又はそれ以上のモーター；掌をアーム部材に接続するように構成される手首接合；を含む自動義手を提供する。手首接合は、掌が車軸の周りを回転することができるように掌と係合する対向する端部を有する車軸を含む。
【００６３】
好ましくは、位置決めシステムは、車軸に係合する位置決め部材、及び、位置決め部材と関連して掌を定位置に固定するように構成される係止部を更に含む。係止部及び位置決め部材の少なくとも一部は、義手の掌内に位置する。
【００６４】
１つの形状において、位置決めシステムは、義手の掌内に位置する車軸；掌で位置する係止アームを含む位置決め部材；及び、掌内に位置する係止部材；を含む。係止部材は、掌を中立位置、屈曲位置又は延長位置に固定するために位置決め部材と係合するように構成される。
【００６５】
好ましくは、係止アームは複数の開口部を含み、係止部材は開口部のいずれかの範囲内で受容されるように構成される係止ピンを含む。
【００６６】
好ましくは、車軸は一対の本質的に圧縮可能な車軸取付け部によって、掌内で支持される。
【００６７】
好ましくは、手首接合は、位置決め部材及びアーム部材に取り付けられるように構成されるコネクタを更に含む。
【００６８】
好ましくは、位置決め部材はコネクタと関連して回転するように構成される。
【００６９】
１つの形状において、位置決め部材は少なくとも１つの係止用指部を含み、コネクタは、コネクタと関連した位置に位置決め部材を固定するために係止用指部と係合するように構成される一連のインデックス化小結節を含む。少なくとも１つの係止用指部は、位置決め部材がコネクタと関連して回転させられる場合、インデックス化小結節から離れるように構成される。
【００７０】
好ましくは、手首接合は、位置決め部材とコネクタの間に位置する防水封止を更に含む。
【００７１】
更なる態様によれば、本発明は電動端末装置の手首接合を提供し、そこにおいて、手首接合は、電動端末装置及びアーム部材に取り付けられるように構成され、そして手首接合は、第１の端部及び第２の端部を含む本体を含み、第２の端部はアーム部材の方へ面するように構成され、手首接合本体の本質的に中空の領域へ、ユーザの（義手の）基部の一部が手首接合の少なくとも一部を通って延びることができるように延長している開口を含む。
【００７２】
好ましくは、開口は手首接合の第１及び第２の端部の間で延長する。
【００７３】
１つの形状において、手首接合は、掌が手首接合に関連してヒンジ接合することができるように回転可能に掌に取り付けられる車軸を更に含む。
【００７４】
好ましくは、電動端末装置は電力供給されたフックを含む。
【００７５】
代わりに、電動端末装置は自動義手を含む。
【００７６】
更なる態様によれば、本発明は、掌；掌から延長する２つ又はそれ以上の指；指を動かすように構成される１つ又はそれ以上のモーター；及び、１つ又はそれ以上のモーターに接続されて、ユーザからの１つ又はそれ以上のＥＭＧ信号；ユーザーインタフェースからの１つ又はそれ以上の電子信号；又は、ユーザからの１つ又はそれ以上のＥＭＧ信号及びユーザーインタフェースからの１つ又はそれ以上の電子信号；を受信するように構成される制御システム；を含み、受信した信号に従って所定のグリップパターンを指に取らせる自動義手を提供し、そこにおいて制御システムは、受信した信号に基づいた所定のグリップパターンを義手に取らせるようにプログラム可能である。選択されたグリップパターンは、ディスプレイに表示されてもよい。
【００７７】
義手は更に、信号が制御システムによって受信されたことを示す１つ又はそれ以上の指示器を含んでもよい。指示器のうちの少なくとも１つは、視覚的な指示器であってもよい。１つの形状において、義手は、信号が制御システムによって受信されたことを示す少なくとも１つの視覚的な指示器を含んでもよい。
【００７８】
義手は好ましくは、それを通じてユーザが義手に所定のグリップパターンを取らせる１つ又はそれ以上の入力部材を含むユーザーインタフェースを含む。
【００７９】
１つ又はそれ以上の入力部材は、１つ又はそれ以上のボタンを含んでもよい。好ましくは、ユーザーインタフェースは、１つ又はそれ以上の入力部材及び１つ又はそれ以上の視覚的な指示器を含むパネルを含む。
【００８０】
更なる態様によれば、本発明は、掌；掌から延長する２つ又はそれ以上の指；及び、指のうちの少なくとも１つを動かすように構成される１つ又はそれ以上のモーター；を含み、そこにおいて、液体に沈められた時、自動義手が作動するように構成される自動義手を提供する。
【００８１】
好ましくは、義手は、スリーブを含む下部のアーム部材に掌を取り付け、更にスリーブに防水取付け部を形成するように構成される手首接合を含む。
【００８２】
好ましくは、手首接合は、その周りに掌を巻きつけかつ屈曲する、及び／又は横に回転する車軸を含む。
【００８３】
１つの形状において、手首接合は、スリーブの電子装置を掌の電子装置及び／又は義手の指と接続する電気コネクタを保つように構成される。
【００８４】
更に他の態様において、本発明は、本質的に本明細書に記載され、かつ、添付の図面を参照して、個別に又はいかなる特徴及びいかなる構成と組み合わせられた自動義手を提供する。
【００８５】
本明細書における従来技術文書に対するいかなる参照も、そのような従来技術が広く知られているあるいは当該分野における共通の一般的な知識の一部を形成するということを承認するものとはみなされない。
【００８６】
本明細書において用いられるように、用語「含む」（その活用形ｃｏｍｐｒｉｓｅｓやｃｏｍｐｒｉｓｉｎｇ）及び、類似した語は、排他的あるいは網羅的な意味において解釈されるものではない。換言すれば、それらは、「含むがこれに限らず」を意味する意図を有する用語である。
【００８７】
本発明は、以下の図面を参照して更に記載される。図面の説明は以下の通りである。
【図面の簡単な説明】
【００８８】
【図１】図１は、本発明の自動義手の１つの形状の側面図である。
【図２】図２は、図１の自動義手の下から見た斜視図である。
【図３】図３は、本発明の自動義手の１つの形状の分解図である。
【図４Ａ】図４Ａは、本発明の掌部の固定器の１つの形状の側面の斜視図である。
【図４Ｂ】図４Ｂは、図４Ａの掌部の固定器の正面斜視図である。
【図４Ｃ】図４Ｃは、図４Ａの掌部の固定器の他の側面の斜視図である。
【図４Ｄ】図４Ｄは、図４Ａの掌部の固定器の下面の斜視図である。
【図５】図５は、本発明の自動義手の１つの形状の部分的に切断された平面図である。
【図６】図６は、図５の自動義手の斜視図である。
【図７】図７は、本発明の親指、親指支持部、及び、親指クッションの１つの形状の分解図である。
【図８】図８は、本発明の掌、及び、親指構成の１つの形状の分解図である。
【図９】図９は、本発明の指、及び、クラッチ装置の１つの形状の分解図である。
【図１０Ａ】図１０Ａは、本発明の指、及び、指関節の一部の側面図である。
【図１０Ｂ】図１０Ｂは、図１０Ａの線Ａ‐Ａに沿った指、及び、クラッチ装置の１つの形状の断面図である。
【図１１Ａ】図１１Ａは、グリップ位置における自動義手の１つの形状の平面図である。
【図１１Ｂ】図１１Ｂは、図１１Ａの線Ｂ‐Ｂに沿った義手の断面側面図である。
【図１２Ａ】図１２Ａは、開いた位置における本発明の自動義手の１つの形状の平面図である。
【図１２Ｂ】図１２Ｂは、図１２Ａの線Ｃ‐Ｃに沿った義手の断面側面図である。
【図１３】図１３は、本発明のクラッチ装置の他の形状の分解図である。
【図１４Ａ】図１４Ａは、本発明のクラッチ装置の更に他の形状の分解図である。
【図１４Ｂ】図１４Ｂは、図１４Ａのクラッチ装置を支える手指の一部の側面図である。
【図１４Ｃ】図１４Ｃは、図１４Ｂの線Ｇ‐Ｇによる断面図である。
【図１５】図１５は、本発明の手首位置決めシステムの１つの形状の分解図である。
【図１６】図１６は、他の角度からの図１５の手首位置決めシステムの分解図である。
【図１７Ａ】図１７Ａは、中立位置における手首を示す本発明の自動義手の１つの形状の部分的な平面図である。
【図１７Ｂ】図１７Ｂは、図１７Ａの線Ｄ‐Ｄに沿った義手の断面側面図である。
【図１７Ｃ】図１７Ｃは、巻きついた位置における図１７Ａの線Ｄ‐Ｄに沿った義手の断面側面図である。
【図１７Ｄ】図１７Ｄは、屈曲した位置における図１７Ａの線Ｄ‐Ｄに沿った義手の断面側面図である。
【図１８】図１８は、本発明の１つの形状の掌の下部、及び、スイッチの分解図である。
【図１９】図１９は、本発明の自動義手の１つの形状の一部の斜視図である。
【図２０Ａ】図２０Ａは、中立位置における掌を示す本発明の義手の１つの形状の平面図である。
【図２０Ｂ】図２０Ｂは、図２０Ａの線Ｅ‐Ｅに沿った義手の断面側面図である。
【図２０Ｃ】図２０Ｃは、図２０Ｂの領域Ａの拡大図である。
【図２１】図２１は、本発明のコネクタの１つの形状に取り付けられた位置決め部材の１つの形状の斜視図である。
【図２２Ａ】図２２Ａは、中立位置における手首接合を示す義手の１つの形状の側面図である。
【図２２Ｂ】図２２Ｂは、図２２Ａの線Ｆ‐Ｆに沿った手首接合の断面端面図である。
【図２３】図２３は、本発明の１つの形状よる手首接合を含む自動義手の１つの形状の斜視図である。
【図２４】図２４は、本発明の位置決め部材の他の形状の斜視図である。
【図２５】図２５は、図２４の訓練目的のためのユーザーインタフェースを含む自動義手の平面図である。
【図２６】図２６は、親指の回転方向を示す第２の例示的な実施形態による自動義手の側面の斜視図である。
【図２７】図２７は、親指が取り除かれた図２６の自動義手の側面図である。
【図２８】図２８は、図２６に示される義手の親指の斜視図である。
【図２９】図２９は、親指回転係止が係合した図２６に示される義手の下面図である。
【図３０】図３０は、親指回転係止が外れた図２６に示される義手の下面図である。
【図３１】図３１は、手指及び親指に収容されるアクチュエータを示す断面を有する図２６に示される自動義手の上面図である。
【図３２】図３２は、係合位置における親指回転係止の代替の実施形態の下面図である。
【図３３】図３３は、自動義手の更なる指関節クラッチの実施形態の斜視図及び部分拡大図である。
【図３４】図３４は、図３３に示される指関節クラッチの分解図である。
【図３５】図３５は、図３３に示されるクラッチの側面図である。
【図３６】図３６は、図３５の線Ｉ‐Ｉに沿った断面図である。
【図３７】図３７は、図３３に示されるクラッチの端面図である。
【図３８】図３８は、クラッチ板を示す図３７の領域Jの拡大図である。
【図３９】図３９は、図３３のクラッチのクラッチ板の側面図である。
【図４０】図４０は、図３３のクラッチのクラッチ板の平面図である。
【図４１】図４１は、図３３のクラッチのクラッチ板の斜視図である。
【図４２】図４２は、手指においてモーター駆動を有する更なる実施形態によるクラッチの側面図である。
【図４３】図４３は、中立位置における更なる実施形態による手首メカニズムの下面図である。
【図４４】図４４は、図４３の線Ｈ‐Ｈに沿った断面図である。
【図４５】図４５は、屈曲位置における図４３に示される義手の下面図である。
【図４６】図４６は、図４５の線Ｈ‐Ｈに沿った断面図である。
【図４７】図４７は、延長位置における図４３に示される義手の下面図である。
【図４８】図４８は、図４７の線Ｈ‐Ｈに沿った断面図である。
【図４９】図４９は、手首部のない図４３の自動義手の背部の斜視図である。
【図５０】図５０は、図４９の分解斜視図である。
【図５１】図５１は、図４３に示される義手の手首の分解斜視図である。
【図５２】図５２は、図４３に示される義手の完全な後部アセンブリの分解図である。
【図５３】図５３は、図５１に示される手首の斜視図である。
【図５４】図５４は、英数字ディスプレイを示す自動義手の平面図である。
【図５５】図５５は、更に他の手首の実施形態の斜視図である。
【図５６】図５６は、図５５に示される手首の実施形態の分解斜視図である。
【図５７】図５７は、更なる実施形態による掌部の固定器の背面図である。
【図５８】図５８は、図５７に示される掌部の固定器の側面図である。
【図５９】図５９は、図５７に示される掌部の固定器の平面図である。
【図６０】図６０は、図５７に示される掌部の固定器の正面斜視図である。
【図６１】図６１は、図５７に示される掌部の固定器の後面斜視図である。
【図６２】図６２は、掌の上部の後面斜視図である。
【図６３】図６３は、一組の指、及び、アクチュエータの後面斜視図である。
【図６４】図６４は、掌の底部の後面斜視図である。
【図６５】図６５は、義手、及び、掌の上部のカバーの分解斜視図である。
【図６６】図６６は、義手、及び、掌の底部のカバーの分解斜視図である。
【発明を実施するための形態】
【００８９】
本発明は、人工装具の義手又は人工装具の訓練用義手のような自動義手に関する。電気モーターに関する本明細書での記載は一例として提供されるが、様々な適切なアクチュエータが使用されてもよいことはいうまでもない。
【００９０】
第１の例示的な実施形態
第１の例示的な実施形態の自動義手１００は図１から図２５に示され、掌２００及び、掌２００から延長する２つ又はそれ以上の指３００を含む。各々の指は、指関節接合によって掌に取り付けられてもよい。指は、開いて本質的に屈曲した（延長した）位置と本質的に閉じたグリップ位置の間で動くように構成される。指３００は、手指３１０又は親指３２０の形であってもよい。一例において、義手１００は２つの指３００を含んでもよく、一方は手指３１０であり、他方は本質的に対向する親指３２０である。他の形状において、義手１００は、４つ又はそれ以上の手指３１０及び本質的に対向する親指３２０を含んでもよい。更に他の形状において、義手１００は、２つ又はそれ以上の手指３１０のみを含んでもよい。更に他の形状において義手１００は、１つ又はそれ以上の手指３１０、及び、２つ又はそれ以上の親指３２０を含んでもよいが、不自然な手に見えるので、これは好ましい実施形態ではないと認識される。
【００９１】
本発明の義手１００はまた、１つ又はそれ以上の駆動モーター２３０を含む。各々のモーター２３０は、１つのみの指３００又は１つ以上の指の動きを駆動するように構成されてもよい。例えば、義手１００が４つの手指及び親指を含む場合、単一のモーター２３０が、１つの位置から他の位置に親指の動きを駆動するために用いられてもよい。２つのモーター２３０は手指の動きを駆動するために用いられてもよく、各々の手指モーターは、２つの手指を動かすように構成される。他の形状において、各々の指３００は、その指３００のみの動きを駆動するように構成される独立したモーター２３０によって駆動されてもよい。１つの形状において、第１のモーターが親指を巻きつけて屈曲するように構成され、第２のモーターが掌の片側から他方へ親指を動かすように構成される場合、親指は２つのモーターを含んでもよい。
【００９２】
各々の指３００は、単一の部品又は２つ又はそれ以上の部品として形成されてもよい本体を含む。人間の手指は例えば、基節骨、中節骨及び末節骨を含む。本発明の自動義手１００もまた、図１の親指に示すように、基節骨３０１、中節骨３０２及び末節骨３０３を含む１つ又はそれ以上の指３００を含んでもよい。代わりに、義手の１つ又はそれ以上の指は、図１の手指に示すように、基節骨３０１及び末節骨３０３のみを含むように構成されてもよい。この構成において、基節骨３０１又は末節骨３０３は、随意に角度をつけられる、あるいは湾曲してもよい。いくつかの形状において、角度の点又は曲線は場合により、中節骨３０２と基節骨３０１の間、又は、中節骨と末節骨３０３の間の接合の外観に似ていてもよい。図１に示した実施形態において、手指３００の末節骨３０３は、本質的にゆるんだ、わずかに巻きつけられた位置において、継ぎ合わされた中節骨及び末節骨に類似させるために角度をつけられる。更に他の形状において、指は、基節骨のみを含んでもよい。また、指が本質的に湾曲した／巻きついた人間の手指に類似させるために、指は１つ又はそれ以上の湾曲又は角度を含んでもよい。
【００９３】
１つの形状において、指３００の本体は、中空の内部の中で作動する構成要素を含む本質的に中空の外殻であってもよい。作動する構成要素は、指にモーターの回転の動きを伝達するように構成される。他の形状において、手指の本体は、本質的に中身が詰まっていてもよい。
【００９４】
本発明の自動義手１００はまた、１つ又はそれ以上の駆動モーター１０及び義手の他の電子的な構成要素を作動するように構成される電源装置を含む。電源装置は、電池、又は、低速解放コンデンサのような他の電力貯蔵装置であってもよい。随意に、電源装置は再充電可能である。
【００９５】
好ましくは、義手１００は、電源が不足している場合に指示を提供する指示器を含む。例えば、指示器は、閃光灯の形状又は特定の色の光の視覚の指示器であってもよい。加えて、又は、代わりに、指示器は、電源が不足していることを示すためにビープ音又は特定の音を出すような音の指示器であってもよい。
【００９６】
本発明の義手１００はまた、義手のモーターの動作を制御するために構成される制御システムを含んでもよい。制御システムはまた、義手の他の電子的な構成要素の動作を制御するために構成されてもよい。制御システムは、ユーザの要求及びスキルに合わせるためにプログラム可能であってもよい。制御システムは、時間とともにユーザの要求及びスキルの変更に合わせるために随意に再プログラム可能であってもよい。
【００９７】
掌部の固定器
１つの形状において、図１から図６に示すように、義手１００の掌２００は、外側の殻の形の本体を含む。外側の殻は、作動する構成要素及び電子部品が保たれてもよい掌の内部を定める。外側の殻は、一部品として形成されてもよい。他の形状において、掌の外側の殻は、共に取り付けられるように構成される第１の部分２１０及び第２の部分２２０を含む。掌の外側の殻の第１の部分は、義手の上部２１０、すなわち義手の後ろを形成するように構成される。外側の殻の第２の部分は、義手の下部２２０、すなわち掌のグリップ部品を形成するように構成される。明瞭さのために、第１及び第２の部分２１０、２２０はここで、それぞれ上部及び下部２１０、２２０と呼ぶ。しかしながら、この用語は、第１の部分が常に上の位置にあり、第２の部分が常に下の位置にあると解釈されるべきではない。周知のように、上部の部分（義手の後ろ）が地面の方へ面して、それゆえに掌の下部より低いように義手は回転してもよい。
【００９８】
義手１００の掌２００はまた、弾力的で可撓性のある圧縮可能な掌部の固定器２５０を含んでもよい。掌部の固定器２５０は、義手の指関節接合、それゆえに指も支持するように構成されてもよい。
【００９９】
１つの形状において、１つ又はそれ以上の指関節接合は、掌部の固定器に取り付けられるように構成されるコネクタに直接又は間接的に取り付けられる。コネクタ２６０は、指関節接合２６１及び接続用アーム２０を含んでもよい。指関節接合２６１は、接続用アーム２０の第１の端部に位置してもよい。接続用アーム２０は、掌部の固定器２５０に取り付けられる、又は、少なくともそれによって支えられるように構成されてもよい。接続用アーム２０はしたがって、横力が指に適用される場合に各々の接続用アーム２０が掌部の固定器２５０の周りを回転することができるように「浮遊」する状態で掌部の固定器２５０に取り付けられる。掌部の固定器２５０の弾力によって、指が広がる（掌の面において離れて回転する）ことができ、垂直の方向において指に適用された力の衝撃吸収を掌に提供する。これにより、上部及び底部の掌は半分に固定される掌部の固定器のみによって掌に取り付けられる指を有する内部フレームのための要求が避けられる。
【０１００】
掌部の固定器２５０は、義手の指関節領域を本質的に横切って延長するように構成される。例えば、掌部の固定器２５０は、２つ又はそれ以上のコネクタの間で延長されてもよく、コネクタ（したがって、指関節接合２６１及び掌２００の末端の部分）が、人間の手の指関節の自然な動きをシミュレートする（少なくとも部分的に）ために、離れてわずかに広がる、共にわずかに押しつぶす、及び、互いに関連してわずかに上下に動くことができるように構成されてもよい。コネクタ２６０は、手指３００を掌２００に接続するように構成される。それゆえに、掌部の固定器の弾力のためにコネクタ２６０が広げられることによって、手指３００もまた、例えば、ブラシハンドルのような品物が手指の間で配置される場合、横に動き、ある程度広がることが可能である。掌部の固定器は好ましくは、掌部の固定器の弾性変形によって可能になるコネクタと掌の間の相対的な動きに起因して、少なくとも２つの指が少なくとも５°（より好ましくは少なくとも１０°、更に好ましくは少なくとも２０°）で広げられるような弾力を有する。この文脈において、用語「広がる」は、それらの中立位置において一般に平行である指に言及するものであり、それらが「広げられる」範囲は、隣接した指の中央線の間の角度を表す。指が平行でなく「広がる」場合は、隣接した指の間の追加的な角度の回転に言及するものである。掌部の固定器の弾力はまた、横力（すなわち、３番目の手指の方へ押す小指に対する衝撃のような義手のどちらかの両側からの力）、及び、垂直の力（すなわち掌の面に垂直の方向において指に対して作用する力）からの衝撃吸収を提供する。これは、掌部の固定器２５０の弾性変形により、掌に関してコネクタ２６０を動かすことができることに起因する。掌部の固定器は、指の端に適用される２．５から２０ニュートンの間の横力が掌（指が広がった）の面において少なくとも３°（好ましくは少なくとも５°）の掌に関する角度の回転を生じるように弾性変形を提供してもよい。
【０１０１】
掌部の固定器は好ましくは、掌部の固定器の弾性変形のために指（指回転）の駆動された動きの面において掌と関連して、各々のコネクタが少なくとも２°（好ましくは少なくとも５°）で回転することができるように、掌に垂直の方向に指に適用される力の衝撃吸収を提供する。掌部の固定器は、掌の面に垂直の方向において指の端の適用される２．５から２０ニュートンの間の力が少なくとも３°のにと関連する指の角度の回転を生じるように、弾性変形を提供してもよい。
【０１０２】
同様に、義手１００のいずれの側においてもコネクタ２６０（したがって指関節接合２６１）を下方へ動かすことを可能にすることで、例えば手指３００は、テニスボールのような小さいあるいは丸い目標物を直ちに合わせて握持することができる。自動義手の適合的な性質は、握手する際により自然なグリップを義手が提供することができることを意味する。
【０１０３】
掌部の固定器の材料特性
掌部の固定器としての用途のために選ばれる材料は、最終用途において通常の低温及び高温の周囲温度にさらされる場合に、高い柔軟性を保持することができなければならない。義手は、冷たい水（０℃）又は非常に熱い水（６０℃）にさらされる可能性がある。
【０１０４】
動的粘弾性測定（ＤＭＴＡ）は、「掌部の固定器」としての用途のようなその最終用途における高分子材料の実際の動作を正確に示す実験室試験である。これは、Ｄ ２２３６、Ｄ ４０６５、Ｄ ４４４０又はＤ ５２７９から選択されるＡＳＴＭプロトコルである。それは、材料選択のパラメータとして「温度」を組み込むものである。
【０１０５】
ＤＴＭＡ試験は、屈曲のような機械的な動作の間、エネルギーを吸収及び／又は保持するために材料の能力を測定するものである。
【０１０６】
それは、吸収されたエネルギー／保持されたエネルギーの比率に関して柔軟性及び弾力（はね返す力）を示すものである。この単位のない比率はその材料の「減衰係数」又は「ｔａｎδタンジェントデルタ：損失正接」と呼ばれていて、広範囲にわたる温度で生成することができる。
【０１０７】
分析的用語において、掌部の固定器のために使用される材料は、マイナス２０℃からプラス１００℃の温度範囲を通じて測定される場合１．０未満、好ましくは０．０５から０．８の間の柔軟性（減衰係数／ｔａｎδ）を必要とする。
【０１０８】
可撓性のある、半圧縮可能であり弾力的な特徴を提供するために、掌部の固定器は、エラストマ、ゴム、シリコーン、圧縮可能なポリマー、及び、熱可塑性物質の材料：を含むがこれらに限らないいかなる適切な材料あるいは材料の組合せから作成されてもよい。（炭化水素、過フッ化炭化水素又は二酸化ケイ素基のいずれかの）熱硬化性樹脂エラストマ、熱可塑性エラストマ、熱硬化性樹脂ゴム、これらのポリマーのいずれかの基の本質的に柔軟な熱可塑性物質又は発泡した組成物が、この用途に適している。
【０１０９】
これらの基準に対して該当する典型的ないくつかの高分子材料は、以下の表１に示される。ポリマーのこれらの「系統群」は、架橋熱硬化性エラストマ（例えばエチレン／アクリル酸塩又はブチルゴム）、架橋熱硬化性ポリウレタン（ソルボセイン（登録商標））、架橋熱硬化性ポリシロキサン、熱可塑性ポリウレタン（ハンツマン社、バイエル社）、熱可塑性エラストマ（デュポン社  ハイトレル（登録商標）、ＤＳＭ アルニタル（登録商標）コポリエステル、アルケマ  ペバックス（登録商標） コポリアミド）：で示すことができる。合金とこれらのポリマーの混合物（無機充填剤と同様に他のポリマーとの）及び、エラストマの材料のこれらの系統群の発泡体もまた、候補の材料である。炭素繊維の強化ポリマーのような複合材料もまた、用いられてもよい。
【０１１０】
【表１】
2018531063.tif 000003
【０１１１】
表１のデータは、広い範囲の熱硬化性樹脂及び熱可塑性ポリマーが、掌部の固定器を製造する材料としての選択の基準を満たしていることを示す。減衰係数は、マイナス２０℃からプラス１００℃の範囲の温度で、０．０５から０．８０の間、より好ましくは０．０５から０．５の間の範囲である。弾力は、好ましくは２０％から６０％の間である。硬度は、ショアＡ硬度で好ましくは１０から９０の間（より好ましくは３０から６０の間）、又は、ショアＤ硬度で４０から９０の間である。約３０のショアＡ硬度を有する材料で形成される掌部の固定器が、特に適切であることが判明した。
【０１１２】
掌部のブロックの必要な機能性は、上記の例のように中身の詰まった掌部のブロックを用いる以外の方法で達成されてもよいことが認識された。例えば、切削加工が中身の詰まったブロックにおいて提供されてもよく、あるいは、材料の小さな部分が指によって適用される回転力にさらされるように別途形成されてもよい。発泡した材料は異なる構造を有する可能性があり、例えば、掌部の固定器は、発泡した材料が容易に変形するアクチュエータに沿って更に延長してもよい。
【０１１３】
図１から図５に示すように、掌部の固定器２５０は、第１の端部２５２を有する本体２５１を含む。第１の端部２５２は、手首の方向に本質的に面していてもよい。支持部（掌部の固定器）２５０はまた、第２の端部２５３を含む。第２の端部２５３は、第１の端部に本質的に向かい合って配置されてもよく、義手１００の手指３００の方向に本質的に面していてもよい。掌部の固定器２５０はまた、義手の掌の上の部分２１０の上部表面２１１の一部を形成するように構成されてもよい上部表面２５４を含む。好ましくは、掌部の固定器２５０の上部表面は、掌２００の上部２１０の上部表面と本質的に同一平面上に構成される。固定器２５０はまた、義手の掌の接触面２２１の一部を形成するように構成されてもよい本質的に対向する下部表面２５５を含む。接触面は、義手の掌内でグリップされるアイテムに概して接触する義手の下部の外側の表面である。掌部の固定器２５０の下部表面は、本質的に掌２００の下部２２０の接触面と同一平面上にあってもよい。
【０１１４】
掌部の固定器２５０は、指関節接合２６１と掌２００の本体の間に位置する。掌２００の上部２１０及び下部２２０は、共に接続し、少なくとも掌部の固定器２５０の一部を上下の部分２１０、２２０の間で保つように構成されてもよい。例えば、１つの形状において、掌部の固定器の第１の端部２５２は、掌２００の上下の部分２１０、２２０の間で保たれ、掌部の固定器２５０が上下の部分２１０、２２０の延長部として作用するために、本質的に掌の上下の表面と同一平面上にあるように構成される。
【０１１５】
１つの形状において、掌部の固定器２５０を含む掌２００は、掌の上部２１０及び下部２２０に掌部の固定器２５０を取り付けるための取付けシステムを含んでもよい。一実施形態において、図示するように、掌の上部２１０は、第１の端部２１２及び第２の端部２１３を含む。掌の下部２２０も、第１の端部２２２及び第２の端部２２３を含む。上部及び下部２１０、２２０の第２端部は、図３に示すように、第２の端部の周り全て、又は、本質的に全てを通じて延長する唇部２１４を含んでもよい。掌部の固定器２５０の第１の端部２５２は、第１の側部２５２の周りで本質的に延長するフランジ２５６を含んでもよい。図３、４Ｃ及び４Ｄで最も良く示されるように、フランジ２５６と掌部の固定器２５０の本体の残りの間に、溝２５７が配置されてもよい。溝２５７の壁は、フランジ２５６の内部の端、及び、掌部の固定器２５０の本体の残り２５１によって形成される。掌２００の上下の部分２１０、２２０の各々の唇部２１４は溝２５７に突出し、フランジ２５６の内部の端当接するように構成されてもよい。掌の第１及び第２の部分２１０、２２０を共に接続することによって、唇部２１４が溝２５７に突出し、フランジ２５６は、掌部の固定器が屈曲する又は掌２００の第１及び第２の部分から離れて引かれる場合であっても、唇部２１４が溝２５７から出るのを防ぐ。
【０１１６】
他の形状において、溝２５７及びフランジ２５６は、掌部の固定器２５０の全体の周り又は本質的にその全体で延長せず、代わりに、掌部の固定器２５０の一部又は部分の周りで延長してもよいと認識される。例えば、フランジ２５６は、溝２５７が各々の突起と支持部２５０の残りの間で形成されるように、掌部の固定器２５０の第１の端部の周りで提供される一連の突起で形成されてもよい。他の形状において、フランジ２５６は、掌部の固定器２５０の第１の端部に対向する側で提供されてもよい。
【０１１７】
これは、掌部の固定器を掌の上下の部分に取り付ける取付けシステムのほんの１つの形状に過ぎないと認識されなければならない。他のいかなる適切な取付けシステムが、別途用いられてもよい。例えば、掌部の固定器及び掌の上下の部分は、掌部の固定器を掌に取り付けるように互いに嵌合する補完的なオス側及びメス側の取付け部材を含んでもよい。クリップ固着システムは、他の形状の使用可能なできる取り付けシステムであってもよい。更に他の形状において、少なくとも、掌部の固定器の一部は、掌の上下の部分の１つあるいは両方に固着される、又は、一体的に成形されてもよい。
【０１１８】
上記のように、掌部の固定器２５０は、義手の指関節２６１及び指３００を間接的に支持するために、１つ又はそれ以上のコネクタ２６０を支持するように構成される。
【０１１９】
１つの形状において、各々のコネクタ２６０の本体は、モーター筐体を提供するように構成されてもよい。例えば、接続用アーム２０はモーター筐体を含んでもよい。他の例において、コネクタは、接続用アーム、モーター筐体、及び、接続用アームとモーター筐体の間に位置する指関節接合を含んでもよい。この構成では、モーター筐体は指の本体内に配置されてもよく、接続用アームは掌の範囲内に配置されてもよい。モーター筐体は、駆動モーターを収容してもよく、随意に１つ又はそれ以上のエンコーダ及び／又はセンサを収容してもよい。
【０１２０】
掌部の固定器は、各々のコネクタの接続用アームを保つように構成されてもよい。例えば、１つ又はそれ以上の支持開口２５８は、第１の端部２５２から第２の端部２５３まで掌部の固定器２５０を通って延びてもよい。１つの形状において、図２Ａに示すように、４つの支持開口２５８が提供される。各々の支持開口２５８は、好ましくはその範囲内でコネクタ２６０の接続用アーム２０を受容するように構成される。
【０１２１】
他の形状において、掌部の固定器２５０は、各々の支持開口２５８がその中に駆動モーターを受容するように構成されるために、義手１００の１つ又はそれ以上の駆動モーター１０を支持するように構成されてもよい。実質的には、各々の支持開口２５８は、モーター群を形成するように構成されてもよい。
【０１２２】
好ましい形状において、各々の支持開口２５８は本質的に円筒状であり、本質的に円筒状のモーター１０又は接続用アーム２０をぴったりと保つために必要な大きさにされる。１つの形状において、モーター１０又は接続用アーム２０の湾曲した壁の本質的に全体が支持開口２５８内で保たれてもよい。代わりに、図３において指示されかつ図５及び６で示されるように、掌部の固定器２５０が義手の掌内の空間でモーター／接続用アームを吊着するために、モーター１０又は接続用アーム２０の一部のみが支持開口２５８内で保たれてもよい。
【０１２３】
掌部の固定器２５０の第２の端部２５３が各々のコネクタの指関節接合２６１に当接し、各々のコネクタの接続用アーム２０がそれぞれの支持開口２５８内で保たれるように、義手１００は組み立てられてもよい。
【０１２４】
１つの形状において、各々の接続用アーム２０の第１の端部が義手の掌２００内で吊着されるように、義手は構成されてもよい。例えば、接続用アームの第２の端部２３の又はその近くの接続用アーム２０の一部は、支持開口２５８内で保たれる。接続用アームの第１の端部２２の近くの接続用アーム２０の残りの部分は、図５及び６に示すように、義手の掌２００の本体の内部で吊着されるために支持開口２５８から延長してもよい。
【０１２５】
他の形状において、接続用アームの本質的に全体が支持開口の範囲内で保たれるように、掌部の固定器はより長い。
【０１２６】
１つの形状において、義手１００は、４つの手指３００と４つの駆動モーター１０を含み、各々の駆動モーター１０は個々の手指３００の動きを駆動するように構成される。義手１００の掌部の固定器２５０は４つの支持開口２５８を含み、各々の支持開口の各々は掌部の固定器２５０の第１の端部２５２と第２の端部２５３の間で延長する。接続用アームは、掌部の固定器２５０のそれぞれの支持開口２５８にぴったりと適合するように構成される。
【０１２７】
１つの形状において、各々の駆動モーター１０は、それぞれのコネクタ２６０の接続用アーム２０内で収容される。好ましくは、接続用アーム２０は、防水の筐体を駆動モーター１０に提供するように構成される。
【０１２８】
概して、各々のモーター及び各々のモーター筐体の第１の端部２２は、それぞれのモーター１０に接続され、直接又は間接的に電源及び／又は制御システムに接続するように構成される電気コネクタ２１を含む。制御システムは、モーター１０が手指３００の動きをいつ、どのように駆動し、手指をどの方向に動かすべきかを決定するように構成されてもよい。各々の駆動モーター１０の第２の端部は、（駆動モーター１０がモーター筐体内で配置される場合）それぞれのモーター筐体の第２の端部２３で又はその近くで配置される。各々のモーターの第２の端部は、直接又は間接的にそれぞれの手指３００の作動システムに接続され、モーター１０の出力が手指３００の動きを駆動するために直接又は間接的に手指３００に係合するように構成される出力軸を含んでもよい。
【０１２９】
１つの形状において、掌部の固定器２５０及び接続用アーム２０は回転防止システムを含み、そこで、２つの部分２５０、２０が互いに係合して、駆動モーターが指を動かすにつれて接続用アーム２０が支持開口２５８内で回転することを防ぐ。１つの形状において、図３から図４Ｄに示すように、１つ又はそれ以上の支持開口２５８は、１つ又はそれ以上のそれぞれの接続用アーム２０上に形成される突起２４のような少なくとも１つの対応する止め具に係合するために構成される凹部又は刻み目のような開口部２５９を含む少なくとも１つの止め具を含んでもよい。この構成では、各々の接続用アーム２０は、モーター筐体の突起２４が掌部の固定器２５０において形成されるそれぞれの開口部２５９内で保たれるように、支持開口２５８内で保たれる。代わりに、掌部の固定器のモーター群は、開口／凹部の形でそれぞれの接続用アームに提供される１つ又はそれ以上の止め具と嵌合するように構成される突起の形で１つ又はそれ以上の止め具を備えていてもよい。手指が動いている場合、手指３１０から接続用アーム２０まで伝達されるいかなるトルクも、接続用アーム２０が支持開口２５８内で回転されるのを防ぐ。義手１００が衝撃力を受ける場合、回転防止システムはまた、接続用アーム２０が支持開口２５８内で回転されるのを防ぐことができる。代わりに、回転は、対応する相互係合した輪郭を有するアクチュエータで、鍵穴のような円形ではない断面の開口部を提供することによって防止されてもよい。
【０１３０】
随意に、１つ又はそれ以上の接続用アーム２０は、それぞれの手指が掌の上部に向けて曲がることを防ぐ、及び／又は、手指があまりに下に引かれることを防ぐために、掌の外殻に対して押圧するための１つ又はそれ以上の端部止め具２５を含むように構成される。換言すれば、端部止め具２５は、手指３００の極度な動きを防ぐために手指の最大の動きの点を提供するように構成される。１つの形状において、端部止め具２５は、モーター筐体の上部に提供されてもよい（その上部は、掌の上部の部分の方に面する部分である）。加えて、又は、代わりに、端部止め具２５は、モーター筐体の下部に提供されてもよい（その下部は、掌の下部の部分２２０に面する部分である）。随意に、接続用アームに又はその中に位置する１つ又はそれ以上の電子部品筐体がまた、端部止め具２５を形成してもよい。
【０１３１】
概して、掌部の固定器２５０は、幾分屈曲する能力と同様に十分な構造上の保全性を掌２００及び指関節接合２６１に提供するために半可撓性を有し半圧縮可能である。掌部の固定器２５０の様々な領域で提供される柔軟性及び圧縮性の量は、義手１００及び手指３００の動きの範囲に影響をもたらす。
【０１３２】
１つの形状において、掌部の固定器２５０は、掌部の固定器２５０の異なる領域で、異なる圧縮性及び／又は柔軟性の特徴を提供するように構成されてもよい。例えば、手指３００の間の隙間と整列する掌部の固定器２５０の領域は、支持部２５０の他の領域より可撓性を有してもよい。掌部の固定器２５０のこれらの領域をより薄くする、及び／又は、支持部２５０の他の領域よりも可撓性のある材料で掌部の固定器２５０のこれらの領域を作成することによって、より大きい柔軟性が達成される可能性がある。
【０１３３】
掌部の固定器はまた、圧縮又は屈曲した後に、掌部の固定器が本質的にその本来の状態に戻るように、本質的に弾力を有してもよい。
【０１３４】
掌部の固定器２５０の可撓性のある半圧縮可能な性質は、自動義手１００に大きな利点を提供する。例えば、義手１００の手指３００がグリップ位置を形成する場合、グリップした目標物の周りで手指３００が本質的に広がり、少なくとも部分的に義手１００を目標物の周りにフィットさせることができるように掌部の固定器２５０は屈曲及び湾曲することができる。このような方法で、掌部の固定器２５０の動きは、テニスボールのような目標物を掴むためにわずかに湾曲する（特に側部で）人間の手の掌に非常に類似するようになる。目標物の周りでわずかに湾曲することによって、義手１００は、義手１００が目標物と接触する接触点の数が増加する。義手１００がより多くの接触点を有すると、義手のグリップはより良好になる。概して、良好なグリップを達成する従来の自動義手では、義手のモーターが、グリップする目標物の表面上に義手の指を締着するように駆動する。締着力がより強くなると、目標物が義手から抜けにくくなる。しかしながら、これにはモーターが激しく作動する必要があり、モーターが酷使されてしまう。強い締着力が使われる場合でも、いくつかの目標物を従来の自動義手がグリップするのは難しい可能性がある。例えば、ガラス瓶のような滑りやすく湾曲した目標物はまだ、従来の義手が確実にグリップするのは困難である可能性がある。しかしながら、本発明の掌部の固定器を含む自動義手は、多くの接触点を提供するために目標物の周りで本質的に湾曲することができるので、義手のモーターは必要なグリップ力を達成するためにそれほど激しく作動する必要はない。その結果、モーター及び電池の耐用寿命は向上し、より良好なグリップが得られる。
【０１３５】
本質的に可撓性のある圧縮可能な掌部の固定器によって提供される他の利点は、本発明の自動義手が衝撃力を受ける場合、特に小指又は人差し指へ側面の衝撃の場合、義手は、義手の作動部への損傷を最小にするためにある程度力を吸収することが可能であることである。特に、圧縮可能な掌部の固定器によって作成される緩衝効果は、モーターギアボックスのような義手の高感度な構成要素に別途損傷を与える可能性のある衝撃力を拡散するための補助となる。このように、掌部の固定器は、モーター及び義手の他の構成要素の耐用寿命を向上させるための補助となる。
【０１３６】
本発明の可撓性のある圧縮可能な掌部の固定器を含む義手はまた、掌部の固定器が本質的に駆動モーターの振動を吸収するので、駆動モーターが接続用アーム内で収容される部分においてより静粛である可能性がある。
【０１３７】
掌部の固定器によって提供される他の利点は、支持部を含む義手が握手の際により自然な感触がすることである。これは、握手の圧力下でわずかに圧縮し、他の人の手を握るためにわずかに湾曲することができる義手の能力によるためである。
【０１３８】
更に、掌部の固定器が義手の指関節領域を横切って延長するので、固定器は指関節及び手指を支持し、それにより、手指の動きのより良好な制御及び精度が提供される。
【０１３９】
掌部の固定器が一体的に形成されたブロックとして示されている一方で、個別に掌に取り付けられても、あるいは形成後に共に固定されても、別個の取付け部は各々のアクチュエータのために提供することができるものであると認識される。
【０１４０】
親指
１つの形状において、図７及び８に示すように、本発明の自動義手１００は、本質的に義手の少なくとも１つの手指３１０に対向するように構成される親指３２０の形の指３００を含む。好ましくは、自動義手１００は、人間の手と同じ又はそれに類似した配置で４つの手指３１０及び本質的に対向する親指３２０を含む。
【０１４１】
親指３２０は、巻きついて屈曲するように構成されてもよい親指本体３２１が本質的に少なくとも１つの他の指３００、例えば人差し指に対向するように、義手の掌２００の第１の側部２０１で又はその近くで取り付けられる。親指３２０は、本質的に人間の親指及び掌配置に類似させるために掌の接触面から延長するように構成される。
【０１４２】
１つの形状において、親指本体３２１は、図８に図示したように、基節骨３０１、中節骨３０２及び末節骨３０３を含む。他の形状において、親指本体は、上記の通り、義手の指が取り得る様々な実施形態に関して基節骨のみ、又は、基節骨及び末節骨を含んでもよい。
【０１４３】
１つの形状において、親指３２０は義手１００の掌２００の上部２１０に載置するように構成される。親指３２０は、掌の上部２１０の外殻の内部の表面に直接載置されても、あるいは、親指３２０は、それ自体が掌の上部２１０の内部の表面上に載置される親指支持部３３０のような中間部材上に載置されてもよい。例えば、義手１００は、掌２００に関する所望の位置及び配向で親指３２０を配置するように構成される親指支持部３３０を含んでもよい。１つの形状において、親指支持部３３０は、掌の外殻の上部２１０に取り付けられる、又はその中に載置される、あるいはその上に載置されるように構成される。
【０１４４】
親指３２０は、親指支持部３３０に載置するように構成されてもよい。例えば、１つの形状において、親指３２０は、親指本体３２１の片側から延長して本質的にＬ字状の親指３２０を形成する本体３２１及びベース部材３２２を含む。義手１００が開いた位置にある場合、親指本体３２１が掌の第１の側部２０１で又はその近くで掌２００の接触面から延長し、ベース部材３２２が掌の第２の側部２０２の方へ掌２００を横切って延長するために、親指３２０は掌２００に配置される。掌の第２の側部２０２は、掌の第１の側部２０１に本質的に対向している。この構成では、ベース部材３２２の末端部３２２ａは、掌の第２の側部２０２の方へ本質的に面している。親指３２０は、下記のように、掌の第２側部２０２の方へ／から離れて回転するためにベース部材３２２の末端部３２２ａの方へ／から離れて回転するように構成されてもよい。
【０１４５】
１つの形状において、親指支持部３３０は、傾斜した第１の凹部３３２を有する第１の表面３２１を含む。示される形状では、第１の凹部３３２は、親指支持部３３０に沿って傾斜する。第１の凹部３３２の角度は、好ましくは親指本体３２１に向けて傾斜する。第１の凹部３３２は、凹部３３２の最も浅い端部である第１の端部３３２ａ、及び、凹部３３２の最も深い端部である本質的に対向する第２の端部３３２ｂを含む。随意に、第１の凹部３３２は開口部を含む。１つの形状において、開口部は、第１の凹部３３２の第２端部３３２ａで提供されてもよい。
【０１４６】
第１の凹部３３２は、ベース部材３２２が第１の凹部３３２内の位置において本質的に保たれるように、親指３２０のベース部材３２２の少なくとも一部を受容するために構成されてもよい。第１の凹部３３２の角度は、親指支持部３３０上の位置に親指３２０が保たれるのを補助するだけでなく、親指３２０の本体３２１が、本質的に自然に見える義手１００を提供するように本質的に自然に見える位置で掌２００上に配置させ、角度をつけることも補助する。
【０１４７】
親指支持部３３０はまた、第１の表面３２１上に位置する第２の凹部３３３を含んでもよい。示される形状において、第２の凹部３３３は、第１の凹部３３２の第１の端部３３２ａの近くに位置する。第２の凹部３３３は、ベース部材３２２が左右に横滑りせずに親指支持部３３０上でその位置を維持するのを確実にするためにベース部材３２２から突出する位置決め要素３２３を受容するように構成されてもよい。第２の凹部３３３及び位置決め要素３２３は、例えば矩形の形状、星の形状、六角形の形状又は正方形の形状のようにいかなる適切な補完的な形状であってもよい。
【０１４８】
１つの形状において、図７及び８に示すように、位置決め要素３２３は、その周りで親指３２０がベース部材３２２の末端部３２２ａの方へ／から離れて回転するようなヒンジを形成する。この形状において、ヒンジ３２３が第２の凹部３３３に入れ子になり回転することができるように、突出するヒンジ３２３は本質的に半円筒状でもよく、第２の凹部３３３も本質的に半円筒状であってもよい。ヒンジ／位置決め要素３２３及び第２の凹部３３３は、ベース部材３２２の長さに本質的に垂直に延長してもよい。
【０１４９】
随意に、親指支持部３３０は、親指３２０に耐衝撃性を提供するゴム、シリコン又はエラストマのような圧縮可能な材料を含む。
【０１５０】
親指３２０は概して、掌２００の上部２１０の内部表面にそれ自体が位置する親指支持部３３０上に、ベース部材３２２が位置するように組み立てられる。随意に、親指支持部３３０は、親指支持部３３０と掌２００の上部２１０の間の接合を封止する封止３４０に位置する及び／又はそれに囲まれる。掌２００の上部２１０は、親指支持部３３０と上部２１０の間に本質的に中空の筐体を含んでもよく、それにより親指支持部３３０は、筐体のための蓋を形成する。義手１００の電子部品２４０は随意に、掌の上部２２０のこの筐体２３０内で収容されてもよい。例えば、制御システム及び他の電子的な構成要素が筐体内で保たれてもよい。概して、電子部品の筐体２３０は、掌の上部２１０の基部で又はその近くで、すなわち掌２００と手首５００の間の接合部で提供される。電子部品の筐体２３０を封止することによって、電子部品２４０は防水で保持されてもよい。
【０１５１】
義手の掌の接触面が上方に面している場合、図８にて図示したように、掌２００の下部２２０は、上部２１０、親指支持部３３０及び親指のベース部材３２２より上に位置する。掌の下部２２０は、親指３２０の本体３２１が突出する開口部２１６を含む。このように、親指３２０のベース部材３２２は掌２００の外殻の内部で本質的に保たれ、親指の本体３２１は掌２００の接触面２２１から突出する。
【０１５２】
親指３２０は、義手１００の掌２００から突出する本質的に静止した指３００であるように構成されてもよい、あるいは、親指３２０が制御された動きを作成するように構成されてもよい。
【０１５３】
１つの形状において、親指３２０は、親指本体３２１が掌の接触面２２１の方へ巻きつき、真っ直ぐになる又は接触面から離れるように曲がるために構成されてもよい第１のモーターを含む。親指の指節骨は、基節骨と中節骨の間の第１の接合３２６、及び、中節骨と末節骨の間の第２の接合３２７のように指節骨の間の接合の周りに巻きついてもよい。
【０１５４】
親指３２０はまた、ベース部材３２２の末端へ／から親指本体３２１を動かす（すなわち、義手が小指を含む場合、小指の位置に近接した掌の第２の側部２０２の方へ／から親指を動かす）ように構成される第２のモーターを含んでもよい。
【０１５５】
実質的に、親指３２０は、掌２００の第２の側部２０２の方へ同時にヒンジ結合し、目標物をグリップするため掌２００の接触面２２１の方に巻きつくように構成されてもよい。同様に、親指３２０は、目標物を解放するために真っ直ぐになり、掌の第２の側部のヒンジ結合から離れてもよい。
【０１５６】
モーターは、掌２００、親指のベース部材３２２、又は、親指の本体３２１内といった義手１００のいかなる適切な位置に配置されてもよい。例えば、第１のモーターは、親指の本体３２１内で収容されてもよい。１つの形状において、第２のモーターはベース部材３２２内で収容される。
【０１５７】
好ましくは、モーターはモーター筐体内で保たれる。例えば、第１のモーターは第１のモーター筐体内で保たれてもよく、第２のモーターは第２のモーター筐体内で保たれてもよい。１つ又はそれ以上のエンコーダ及び／又はセンサもまた、第１及び／又は第２のモーター筐体内で保たれてもよい。
【０１５８】
自動義手１００は随意に、衝撃力を吸収し、親指３２０及びその構成要素、特にモーターへの損傷を防ぐのを補助するために、ベース部材３２２及び掌２００の外殻の間で配置されるように構成される圧縮可能な親指クッション３５０を含む。
【０１５９】
１つの形状において、親指クッション３５０は、ベース部材３２２及び掌の下部２２０の間に配置される。この形状において、親指クッション３５０は、掌の下部２２０の内部表面；ベース部材３２２の上部表面（上部表面が掌の下部の方へ面する表面である）；に取り付けられても、あるいは、親指クッション３５０は、ベース部材３２２と掌の下部２２０の間に単に挟まれてもよい。
【０１６０】
１つの形状において、親指クッション３５０は、ベース部材３２２と掌の下部２２０の間に位置するために、図７及び８に示すように、ベース部材３２２に載置するように構成される。ベース部材３２２は、親指クッション３５０がベース部材３２２上に載置されるクッション取付け部３２４を含んでもよい。例えば、クッション取付け部３２４は開口又は凹部のような開口部の形であってもよく、親指クッション３５０は開口部内で受容されるように構成される突起を有する取付け表面を含んでもよい。好ましくは、突起は、開口部又は突起内でぴったりと受容され、開口部は、親指クッションがベース部材に適所に保たれるために開口部内で親指クッションの突起を保つように合わせられる又は別途構成される。他の形状において、図示するように、ベース部材３２２は突起３２４の形でクッション取付け部を含み、親指クッション３５０は、ベース部材３２２に適所に保たれる突起３２４を通じて適合するように構成される。
【０１６１】
１つの形状において、突起クッション取付け部は、第２の親指モーターの筐体、又は、少なくとも筐体の一部を含む。例えば、ベース部材３２２の第１の表面は、図７及び８に示すように、その中に第２のモーターが配置する突起３２４の形のクッション取付け部を含んでもよい。その接触面２２１が上方に面するように義手１００の向きが定められる場合、ベース部材３２２の第１の表面は、また掌の下部２２０の内部表面の方へ面するその上方に面する表面である。
【０１６２】
圧縮可能な親指クッション３５０は、突出するモーター筐体／クッション取付け部３２４の突出する自由端に位置するように構成されてもよい、あるいは、親指クッション２５０は、本質的にクッション取付け部３２４を囲むように構成されてもよい。
【０１６３】
１つの形状において、図７及び８に示すように、ベース部材３２２は、突出するクッション取付け部３２４に位置する受台３２５を提供するように構成される。親指クッション３５０は、受台３２５内で本質的に配置され、本質的に突出するクッション取付け部３２４を本質的に囲むように構成される。
【０１６４】
親指本体３２１が掌の第２側部２０２の方へ／から離れて回転するにつれて、ベース部材３２２がわずかに上下に動くように、親指は親指支持部内でわずかに旋回してもよい。例えば、親指本体３２１が掌２００の第２の側部２０２の方へ動く場合、ベース部材３２２の末端部３２２ａは、親指支持部３３０の第１の凹部３３２へ押される。逆に、親指本体３２１が掌の第２の側部２０２から離れて動く場合、ベース部材の末端部３２２ａは、掌２００の下部２２０の内部表面に対して押される。それゆえに、親指３２０の端部が掌２００の上部２１０の方へ親指本体３２１のベースを押す衝撃力を受容する場合、ベース部材３２２の位置決め要素３２３は親指支持部３３０の第２の凹部３３３に対して押され、ベース部材３２２の末端部３２２ａはシーソー配置で掌の下部２２０の方へ押される。掌の本質的に堅固な下部２２０に対してベース部材３２２の本質的に堅固な構造が衝突する際の損傷を起こすような衝撃力を防ぐため、親指クッション３５０は、これらの２つの部分３２２、２２０の間に配置される。この構成では、ベース部材３２２は、少なくとも多少の衝撃を吸収する圧縮可能な親指クッション３５０に対して押圧される。それゆえに、親指クッション３５０の圧縮可能な性質は、親指３２０と掌２００の間で伝達される力を弱めるのを補助する。結果的に、親指、親指モーター、及び、親指の他の構成要素は、親指の端部への衝撃力によって損傷を受ける可能性が減少する。
【０１６５】
１つの形状において、親指クッション３５０はベース部材に載置され、親指３２０の内部の側３２０ａに当接するように構成されてもよい。親指の内側は、そこからベース部材３２２が延長する側である。この構成では、親指クッション３５０は、親指が掌の第１の側部２０１から衝撃力を受容する場合、親指３２０の側面の動きを本質的に弱めることが可能である。親指及びその高感度な構成要素は、それゆえに、側面の衝撃の結果として損傷を受ける可能性が減少する。
【０１６６】
親指クッション３５０は、ゴム、エラストマ、シリコーン等のいかなる適切な緩衝材料で作成されてもよい。好ましくは、親指クッションの材料は、親指クッションが変形した後、本質的にその本来の形状に戻ることができるために本質的に弾力的なものである。
【０１６７】
独立した指の速度、位置及び／又は力
１つの形状において、本発明の義手１００の制御システムは、独立して義手の指３００の動きを制御するために構成される１つ又はそれ以上のモーター制御装置を含む。１つの形状において、モーター制御装置は、独立して指の動きを駆動する１つ又はそれ以上の駆動モーターの速度を制御するために構成されてもよい。特に、モーター制御装置は、１つ又はそれ以上の駆動モーターのモーター速度、及び、パルス幅変調を制御するように構成されてもよい。各々のモーター制御装置は、直接又は間接的に電源、及び、義手１００の１つ又はそれ以上モーター駆動に接続される。
【０１６８】
独立して１つ又はそれ以上の指の動きを制御することによって、制御された指が動く速度；制御された指がアイテムをグリップする力；及び、制御された指の位置を独立してかつ慎重に制御することが可能になる。
【０１６９】
義手１００は１つ又はそれ以上の駆動モーターを含んでもよく、各々の駆動モーターは少なくとも１つの指を動かすように構成される。１つの形状において、義手は、５つの指及び少なくとも５つのモーターを含んでもよい。例えば、図３、５及び６に示すように、第１のモーターは、第１の指の動きを駆動するために人差し指のような第１の指に接続され、第２のモーターは、第２の指の動きを駆動するために中指のような第２の指に接続され、以下同様に接続されてもよい。上記のように、各々のモーターは好ましくは防水である筐体内で保たれてもよい。
【０１７０】
モーター制御装置は、いかなる所望の速度で１つ又はそれ以上の指３００を動かすように構成されてもよい。例えば、モーター制御装置は、同じ速度又は異なる速度で２つ又はそれ以上の指３００を動かすように構成されてもよい、あるいは、同じ速度又は異なる速度で各々の指３００を動かすように構成されてもよい。
【０１７１】
１つの形状において、各々のモーター制御装置は、ＰＩＤ制御装置を含む。
【０１７２】
１つのモーター制御装置が、手指３１０のような単一の指３００の速度を制御するために用いられてもよい。例えば、義手１００の各々の指３００は、その指３００のみの動きの速度を制御するために構成されるモーター制御装置に接続されてもよい。１つの形状において、義手は、５つのモーター制御装置、５つのモーター及び５つの指を含んでもよい。例えば、各々の指の動きの速度がそれぞれのコントローラによって独立して決定することができるように、第１のモーター制御装置は、人差し指のような第１の指の動きの速度を制御するために第１のモーターに接続されてもよく；第２のモーター制御装置は、中指のような第２の指の動きの速度を制御するために第２のモーターに接続されてもよい。
【０１７３】
代わりに、単一のモーター制御装置が、２つ又はそれ以上の指３００の速度を制御するために用いられてもよい。例えば、義手１００は、親指、及び、人差し指、中指、薬指及び小指に対応する４つの手指３１０を含んでもよい。少なくとも１つのモーター制御装置が親指の動きの速度を制御するために用いられてもよく、少なくとも１つの他のコントローラが人差し指の動きの速度を制御するために用いられてもよい。更に他のモーター制御装置が、中指、薬指及び小指の速度を制御するために用いられてもよい。この構成では、親指及び人差し指の両方の速度は独立して制御され、一方で、中指、薬指及び小指は、これらの手指が単一のモーター制御装置によって支配されるので同じ速度で動く。
【０１７４】
１つの形状において、親指は、２つの駆動モーター：親指を掌の接触面へ／から巻きつけて曲げるようにする第１の駆動モーター；及び、親指を掌の第１の側部から旋回させて第２の側部及び後ろに動かすようにする第２の駆動モーター；を含んでもよい。親指が巻きつきかつ曲がる速度は、親指が掌の第１及び第２の側部の間で動く速度と同じである又は異なるように、各々の駆動モーターの速度は、独立したモーター制御装置によって制御されてもよい。
【０１７５】
制御システムは、ユーザに適した指の速度を決定するように構成されてもよい。例えば、義手が４つの手指を含み、小さい目標物又は丸い目標物をグリップするために使用される場合、１つ又はそれ以上のモーター制御装置は、薬指を中指よりも速く動かすように構成されてもよい。モーター制御装置は、人差し指と同じ速度で又はより速く中指を動かすように構成されてもよい。加えて又は代わりに、モーター制御装置は、薬指と同じ速度で又はより速く小指（又は義手が４つの手指を含まない場合には義手の外側の端部に最も近い手指）を動かすように構成されてもよい。
【０１７６】
他の形状において、義手１００は、人差し指、中指、薬指、小指及び親指に対応する５つの指３００を含む。１つ又はそれ以上のモーター制御装置は、人差し指及び中指より速い速度で、薬指及び小指を動かすように構成される。
【０１７７】
モーター制御装置は、義手上のいかなる適切な位置に置かれてもよい。好ましくは、制御システム及びモーター制御装置は、義手の掌の電子部品筐体内で、プリント基板上に配置される。
【０１７８】
１つ又はそれ以上のモーター制御装置は、義手１００に組み込まれる前に、前もってプログラムされていてもよい。代わりに、ユーザ又はセラピストが、ユーザの要求に従って、義手の製造後に１つ又はそれ以上のモーター制御装置をプログラムしてもよい。随意に、１つ又はそれ以上のモーター制御装置は、再プログラム可能である。
【０１７９】
独立した指の速度及び／又は指の位置及び／又は指の力のための制御システムを提供することによって、精密なグリップのタスクを実行することができる。例えば、コントローラは、本質的に現実的かつ自然な握手のグリップを提供するように義手の他の手指と比較して、小指及び薬指により強い力を提供し、特定の手指に速度を提供するため、握手グリップのために握手前と後のグリップ位置を定めるためにプログラムされてもよい。
【０１８０】
独立した指の速度を有する義手によって提供される他の利点は、義手の制御システムが精密な用具のグリップを提供するように構成されることである。
【０１８１】
更に他の利点は、目標物をグリップするために適用される力が指の間で変化することができることである。例えば、手指は目標物をグリップするために用いる場合には、小指の駆動モーターを人差し指のものよりも急速に動かすことによって、小指のグリップ力は人差し指のグリップ力より強くなる。
【０１８２】
更に他の利点は、指の位置が独立して制御されかつ慎重に決定することができることである。例えば、コントローラは、指が、握手のグリップのような特定のグリップパターンで動くように構成されてもよい。
【０１８３】
クラッチ装置
１つの形状において、図９から図１４に示すように、本発明の自動義手は１つ又はそれ以上のクラッチ装置４００を含んでもよい。各々のクラッチ装置は、駆動モーターが、端部の衝撃力を指が受容する又は大きい牽引力の下にある場所で指を駆動するのを止めることができるように、駆動モーター１０と係合及び分離するように構成されてもよい。例えば、巻きつけられた指３００が重い重量を持ち上げる場合、その指の駆動モーターは巻きつけられた構成で指を保持するために酷使される。モーターに対しあまりに多くの負荷がかかると、モーターに損傷が与えられ、時間とともにモーターが摩耗する可能性がある。本発明のクラッチ装置４００は、指が端部の衝撃又は大きい牽引力を受けて非常に酷使される場合に、駆動モーター１０の駆動力から指３００を分離することによって、この損傷を回避するのを補助するように構成される。
【０１８４】
駆動モーターは、グリップ位置の義手１００の掌２００の接触面の方へ指を巻きつけさせる第１の方向、及び、開いた位置を形成するために指を真っ直ぐにさせる対向する第２の方向に作動するように構成される。駆動モーターの出力軸は、本発明の少なくとも１つのクラッチ装置と直接又は間接的に係合するように構成される。
【０１８５】
義手は、義手の１つ又はそれ以上の指と共に用いられる１つ又はそれ以上のクラッチ装置４００を含んでもよい。例えば、人差し指及び親指のみがクラッチ装置４００を含んでもよい。他の形状において、図示するように、手指又は親指のいずれかの義手の各々の指３００が、少なくとも１つのクラッチ装置４００を含んでもよい。１つの形状において、指は、１つずつ指の本体の両側に置かれる２つのクラッチ装置４００を含んでもよい。説明を簡単にするため、単一のクラッチ装置４００の構成は、特に（親指以外の）手指の単一の指に関して記載されている。しかしながら、本発明のクラッチ装置４００は親指のために別途使われてもよいと認識されるべきである。親指が２つの駆動モーターを含むので、親指は、親指の各々の駆動モーターと係合するための１つ又はそれ以上のクラッチ装置を含んでもよい。例えば、一実施形態において、親指が２つの駆動モーターを含む場合、親指は、４つのクラッチ装置を含んでもよい（各々の駆動モーターのために２つのクラッチ装置が存在する）。
【０１８６】
１つの形状において、クラッチ装置は、直接又は間接的に駆動モーターに係合するために構成される第１の部分、及び、直接又は間接的に手指に係合するために構成される第２の部分を含んでもよい。例えば、クラッチ装置の第１の端部は、上記のように手指の駆動モーターと係合してもよく、クラッチの第２の端部は手指と係合するように構成されてもよい。
【０１８７】
手指３１０は、義手の掌２００に接続される指関節接合２６１に接続される。指関節接合２６１は、手指が巻きついて曲がることができるように、指関節接合２６１の周りで手指がヒンジ結合することができるように構成される。
【０１８８】
手指３１０は、別個の接合部分（例えば別個の指節骨）として形成されても、あるいは、手指は、上記のように、単一の部分（例えば基節骨）として形成されてもよい。
【０１８９】
クラッチ装置４００は、２つの隣接した指節骨３０１、３０２、３０３間の接合の範囲内、又は、掌２００と指３００の間の指関節接合２６１の範囲内で配置されるように構成されてもよい。好ましい形態において、クラッチ装置４００は、掌２００と指３００の基節骨３０１の間の指関節接合２６１の範囲内で配置される。
【０１９０】
指関節接合２６１は、１つ又はそれ以上の部分から形成されてもよい。１つの形状において、指関節２６１は、図９に示すように、共に接続されてもよい第１の部分２６１ａ及び第２の部分２６１ｂの２つの部分から形成される。
【０１９１】
指関節接合２６１は、人間の指関節の曲線に類似させるように少なくとも部分的に湾曲した外側の表面を有する本体を含んでもよい。１つの形状において、指関節接合２６１は、指支持部材２６０の一部を形成する。指支持部材２６０はまた、接続用アーム２０を含んでもよい。１つの形状において、指関節接合２６１は、指支持部材２６０の第１の端部で又はその近くに位置し、接続用アーム２０は指支持部材の第２の端部で又はその近くに位置する。指関節接合２６１が指支持部材２６０の一端を形成し、接続用アーム２０が他端を形成するように、接続用アーム２０は、指関節接合２６１から延長するように構成されてもよい。
【０１９２】
１つ又はそれ以上の手指の駆動モーターは、接続用アーム２０内で保たれてもよい。随意に、１つ又はそれ以上のエンコーダ及び／又はセンサはまた、モーター筐体内で保たれてもよい。接続用アーム２０は本質的に細長くてもよく、義手１００の掌２００内で配置されるように構成されてもよい。１つの形状において、接続用アーム２０及び／又はモーター１０は、上記のように、掌部の固定器２５０のモーター群の中で保たれるように構成されてもよい。他の形状において、接続用アーム２０及び／又はモーター１０は、例えば基節骨内のような指３００の範囲内で保たれてもよい。
【０１９３】
指関節接合２６１の本体は、いかなる適切な形状であってもよい。１つの形状において、本体２６１は、対向する取付け面２６５ａ、２６５ｂを有する本質的に円形のディスクを含む。
【０１９４】
１つの形状において、クラッチ装置は、被駆動要素４１０、クランプ部材４２０及び圧縮部材４３０を含む。
【０１９５】
被駆動要素４１０は、直接又は間接的に駆動モーター１０に係合されてもよく、駆動モーター１０によって回転させられる。例えば、被駆動要素４１０は、駆動モーター１０の出力軸によって駆動されるウォームギアと係合するウォーム歯車であってもよい。他の形状において、被駆動要素４１０は、駆動モーターの出力軸が回転するにつれて被駆動要素４１０もまた回転させられるような、ベベルギア歯車、あるいは他のいかなる適切なホイール又は回転要素であってもよい。
【０１９６】
被駆動要素４１０は、指関節接合２６１の本体内に配置されてもよい。被駆動要素４１０は、クランプ部材４２０と係合するように構成される少なくとも１つの接触面４１１を含んでもよい。１つの形状において、被駆動要素は、本質的に対向する接触面４１１ａ、４１１ｂを含む。
【０１９７】
クランプ部材４２０は、被駆動要素４１０の接触面４１１に係合するように構成される第１の表面４２１を含んでもよい。例えば、クランプ部材４２０の第１の表面４２１は、被駆動要素の接触面４１１に対して押圧するように構成されてもよい。
【０１９８】
圧縮部材４３０は、例えば接触面４１１に対する押圧によって、締着の第１の表面を被駆動要素４１０の接触面４１１と係合させるように構成されてもよい。圧縮部材４３０はそれゆえに、圧縮力を用いて、クランプ部材４２０を被駆動要素４１０の接触面４１１と係合させるように構成されてもよい。１つの形状において、圧縮部材４３０はまた、クランプ部材の第１の表面４２１を被駆動要素の接触面４１１と分離するように構成されてもよい。
【０１９９】
指３００が単一のクラッチ装置４００を含む所では、クランプ部材４２０及び圧縮部材４３０は、被駆動要素４１０の片方の側に位置する。しかしながら、指３００が２つのクラッチ装置４００を含む場合には、クランプ部材４２０及び圧縮部材４３０は、被駆動要素４１０の両側の上に位置する。
【０２００】
１つの形状において、クランプ部材４２０は、被駆動要素４１０の接触面４１１ａ、４１１ｂに隣接して配置されてもよい。
【０２０１】
被駆動要素４１０及びクランプ部材４２０は、被駆動要素４１０において形成された車軸受容開口４１４を通って延長するように構成される共通の車軸４５０、及び、クランプ要素４２０において形成された車軸受容開口４２５によって、互いに隣接した位置に保たれてもよい。
【０２０２】
１つの形状において、被駆動要素の車軸受容開口４１４は、被駆動要素の接触面４１１上に、本質的に中央に配置される。車軸受容開口４１４は、第１の接触面４１１ａから第２の接触面４１１ｂまで被駆動要素の本体を通って延長してもよい。
【０２０３】
クランプ部材４２０の車軸受容開口４２５は、クランプ部材４２０上の本質的に中央に配置されてもよい。
【０２０４】
１つの形状において、車軸受容開口４２５は、第１の表面４２１からクランプ部材の第２の表面４２２まで、クランプ部材の本体を通って延長してもよい。
【０２０５】
１つの形状において、車軸は、本質的に円筒状であってもよく、被駆動要素及びクランプ部材の本質的に円形の車軸受容開口を通って延長してもよい。他の形状において、車軸は、本質的に円筒状の中心の領域４５１、及び、円筒状でない端部４５２を含む。車軸４５０の中心の領域４５１は、本質的に円形の断面を含む被駆動要素４１０の車軸受容開口４１４を通って突出するように構成されてもよい。この形状において、被駆動要素４１０は、車軸４５０の周りを自由に回転してもよい。
【０２０６】
車軸４５０の円筒状でない端部４５２は、クランプ部材４２０の対応するように成形された車軸受容開口４２５に合うために構成された四角形の形状、六角形の形状又は他のいかなる適切な形状であってもよい。この形状において、クランプ部材４２０が回転するにつれて、車軸４５０もまた回転させられる。被駆動要素４１０は車軸４３０の周りを自由に回転することができ、一方で、車軸４３０及びクランプ部材４２０は、互いに関連した位置に固定される。
【０２０７】
車軸は、被駆動要素及びクランプ部材が互いに本質的に整列したままであるのを確実にすることを補助する。
【０２０８】
指関節接合２６１は、クラッチ装置の少なくとも一部を収容し、被駆動要素及びクランプ部材を整列するのを補助するクラッチ受容開口２６６を含んでもよい。クラッチ受容開口２６６は、第１の外側の表面２６５ａから第２の外側の表面２６５ｂへ指関節接合の本体を通って延長してもよい。クラッチ受容開口２６６は、指関節接合２６１の外側の取付け面２６５ａ、２６５ｂ上の好ましくは本質的に中央に位置する。１つの形状において、クラッチ受容開口２６６は、指関節接合２６１の第１の部分２６１ａ及び第２の部分２６１ｂのいずれか、あるいは、第１の部分２６１ａ及び第２の部分２６１ｂの両方を通って延長する円筒状の開口を形成するための円形の断面を有する。被駆動要素４１０は、クラッチ受容開口２６６に配置されてもよい。１つの形状において、クランプ部材４２０の少なくとも一部もまた、クラッチ受容開口２６６内で受容されてもよい。
【０２０９】
１つの形状において、クラッチ装置４００は、被駆動要素４１０が回転する場合にクランプ部材４２０が回転させられるように、クランプ部材４２０の第１の表面と被駆動要素４１０の接触面を係合するための係合システムを含んでもよい。係合システムはまた、指３００が大きな力を受ける場合に被駆動要素４１０からクランプ部材４２０を分離するように構成されてもよい。
【０２１０】
１つの形状において、係合システムは、１つ又はそれ以上のメス側係合部材に係合するために構成される１つ又はそれ以上のオス側係合部材を含む。オス側係合部材は、凹部を含むメス側係合部材に係合するために構成される突起を含んでもよい。オス側突起は本質的に凸面であっても、突出したボールのような本質的に球面突起であってもよい。オス側突起は場合により、そこから突起が突出するクランプ部材又は被駆動要素と一体的であっても、それに取り付けられても、あるいは、別途接続されてもよい。一実施形態において、少なくとも１つのメス側係合部材は、ディンプルのように、本質的にくぼんだ凹部を含んでもよい。凹型の領域は、１つ又はそれ以上の開口を含んでもよい。例えば、凹部は、半円形凹部を形成するために湾曲しかつテーパーの付いた端を有して中央に配置される開口を含んでもよい。他の形状において、メス側係合部材は、凹型の表面内で複数の開口を含むくぼんだ凹部を含んでもよい。凹部はまた、本質的に浅くてもよい。換言すれば、凹部の深さは本質的に浅くても、あるいは、本質的に浅いテーパー角度を有するテーパーの付いた端を含んでもよい。
【０２１１】
被駆動要素の接触面は、クランプ部材の第１の表面上の対応するメス側係合部材又はオス側係合部材に係合するために構成される１つ又はそれ以上のオス側係合部材又はメス側係合部材を含んでもよい。１つの形状において、接触面は、クランプ部材の第１の表面上の対応するメス側及びオス側係合部材に係合するために構成されるオス側及びメス側係合部材の両方を含んでもよい。
【０２１２】
随意に、係合システムは、４つのメス側係合部材に係合するために構成される４つのオス側係合部材を含む。オス側及びメス側係合部材は、被駆動要素４１０の接触面４１１の中心の点、又は、場合によりクランプ部材４２０の第１の表面４２１の中心の点から等間隔に及びその周りで配置されるように構成される。
【０２１３】
１つの形状において、被駆動要素４１０の接触面４１１は、１つ又はそれ以上のオス側係合部材を含んでもよく、クランプ部材は１つ又はそれ以上のメス側係合部材を含んでもよい。各々のオス側係合部材は、共に被駆動要素４１０及びクランプ部材４２０と係合するためにそれぞれのメス側係合部材において少なくとも部分的に受容されるように構成されてもよい
【０２１４】
。１つの形状において、被駆動要素４１０の接触面４１１は、１つ又はそれ以上の開口を含む。各々の開口は、閉じた端部及び開いた端部を含む。開いた端部は、接触面４２１に配置される。
【０２１５】
圧縮部材は、各々の開口内で保たれてもよい。オス側係合部材は、少なくとも一部が接触面から突出するために開口の開いた端部に配置されてもよい。この構成では、圧縮部材は、オス側係合部と開口の閉じた端部の間の開口内で保たれる。突出しているオス側係合部材は、クランプ部材の第１の表面に対して、及び、圧縮部材の一端に対して押圧される。圧縮部材はそれゆえに開口内で圧縮して保たれ、クランプ部材４２０の第１の表面４２１に対してオス側係合部材を押すように構成される。
【０２１６】
随意に、圧縮部材はバネであるが、他の形状において、圧縮部材は、圧縮することができ、その本来の形状にバネで戻ることができるいかなる本質的に圧縮可能かつ弾力的な材料から形成されてもよい。
【０２１７】
１つの形状において、オス側係合部材は、クランプ部材４２０と被駆動要素４１０の間で圧縮して保たれる玉軸受のようなボールを含んでもよい。
【０２１８】
圧縮部材４３０の圧縮力は、玉軸受のようなオス側係合部材をクランプ部材４２０の第１の表面４２１に対して押圧する。
【０２１９】
上記のように、クランプ部材４２０の第１の表面上のメス側係合部材は、被駆動要素４１０とクランプ部材４２０が係合する場合、その中でそれぞれのオス側係合部材が入れ子になる１つ又はそれ以上の凹部を含んでもよい。この構成では、被駆動要素４１０が回転する場合、クランプ部材４２０は回転させられる。オス側係合部材が玉軸受を含む場合には、１つ又はそれ以上の凹部は、玉軸受がそれぞれの凹部内で幾分回転することができるように構成されてもよい。この構成において、本発明は、被駆動要素４１０が回転するとクランプ部材４２０が回転させられるバネ式玉軸受クラッチ装置４００を提供する。
【０２２０】
他の形状において、図９、１０Ａ及び１０Ｂに示すように、被駆動要素４１０の接触面４１１は１つ又はそれ以上のメス側係合部材４１３を含み、クランプ部材４２０は１つ又はそれ以上のオス側係合部材４２３を含む。各々のオス側係合部材４２３は、被駆動要素４１０とクランプ部材４２０を互いに係合するためにそれぞれのメス側係合部材４１３において少なくとも部分的に受容されるように構成されてもよい。
【０２２１】
１つの形状において、クランプ部材４２０の第１の表面４２１は、１つ又はそれ以上の開口４２４を含む。各々の開口４２４は、閉じた端部と開いた端部を含む。開いた端部は、第１の表面４２１に位置する。開口４２４は、閉じた端部と共に形成されてもよい。代わりに、開口は、クランプ部材の第１及び第２の表面の間で延長してもよく、グラブネジのような止め具４４０が、開口４２４の端部を閉じるために第２の表面の開口において配置されてもよい。
【０２２２】
圧縮部材は、各々の開口４２４内で保たれてもよい。オス側係合部材４２３は、少なくとも一部が第１の表面４２１から突出するために開口４２４の開いた端部に配置されてもよい。この構成では、圧縮部材４３０は、オス側係合部４２３と開口４２４の閉じた端部の間の開口４２４内で保たれる。突出しているオス側係合部材４２３は、被駆動要素４１０の接触面に対して、及び、圧縮部材４３０に対して押圧される。圧縮部材４３０はそれゆえに開口４２４内で圧縮して保たれ、被駆動要素４１０の接触面４１１に対してオス側係合部材を押すように構成される。
【０２２３】
随意に、圧縮部材はバネであるが、他の形状において、圧縮部材は、圧縮することができ、その本来の形状にバネで戻ることができるいかなる本質的に圧縮可能かつ弾力的な材料から形成されてもよい。
【０２２４】
１つの形状において、オス側係合部材４２３は、クランプ部材４２０と被駆動要素４１０の間で圧縮して保たれる玉軸受のようなボールを含んでもよい。
【０２２５】
圧縮部材４３０の圧縮力は、玉軸受４２３のようなオス側係合部材を被駆動要素４１０の接触面４１１に対して押圧する。
【０２２６】
上記のように、被駆動要素４１０の接触面４１１上のメス側係合部材４１３は、被駆動要素４１０とクランプ部材４２０が係合する場合、その中でそれぞれのオス側係合部材４２３が入れ子になる１つ又はそれ以上の凹部４１３を含んでもよい。この構成では、被駆動要素４１０が回転する場合、クランプ部材４２０は回転させられる。オス側係合部材が玉軸受を含む所では、１つ又はそれ以上の凹部４１３は、玉軸受４２３がそれぞれの凹部４１３内で幾分回転することができるように構成されてもよい。この構成において、本発明は、被駆動要素４１０が回転するとクランプ部材４２０が回転させられるバネ式玉軸受クラッチ装置４００を提供する。クランプ部材４２０はまた、手指３１０と直接又は間接的に係合するように構成されてもよい第２の表面４２２を含む。例えば、クランプ部材４２０の第２の表面４２２は、指３００の本体において形成された対応する受容要素３０５と係合するために構成されてもよい。他の実施形態では、車軸４５０の末端部は、手指の本体において形成される対応する受容要素と係合するために構成されてもよい。
【０２２７】
クランプ部材４２０の第２の表面４２２及び／又は車軸４５０の末端部は、クラッチ装置４００の第２の端部を形成してもよい。受容要素３０５は、凹部ではない領域に接している少なくとも１つの壁によって、又は、凹部ではない領域の境界を定める複数の突出するアームによって定められる開口、凹部又は凹部ではない領域のような開口部であってもよい。１つの形状において、図示するように、クランプ部材４２０は、手指３１０の基節骨３０１と係合するために構成される。１つの形状において、クランプ部材は、手指に取り付けられる又は一体的に作成されることによって手指と係合する。
【０２２８】
１つの形状において、図９に示すように、クランプ部材４２０は、クランプ部材４２０の第１の表面４２１を含む軸４２６を含んでもよい。フランジ４２７は、軸４２６の一端で又はその近くで配置されてもよい。フランジ４２７は、クランプ部材４２０の第２の表面４２２を含んでもよい。軸４２６は、指関節２６１のクラッチ受容開口２６６内で保たれるように構成されてもよい。１つの形状において、クランプ部材４２０のフランジ４２７は、フランジ４２７が指関節接合２６１の外側の表面２６５上に位置するように指関節本体２６１の外側の取付け面２６５に当接するように構成される。この構成では、クランプ部材４００の軸４２６は、第１の部分２６１ａのような少なくとも指関節２６１の一部を通って被駆動要素４１０の方へ延びる。クランプ部材４２０のフランジ４２７は、上記の通りに、基節骨３０１の本体のような手指３１０と係合するために構成されてもよい。例えば、フランジ４２７は、凹部、開口又は基節骨の周囲のような対応する受容要素３０５に合わせるために、四角形、六角形、あるいは不規則に成形されてもよい。
【０２２９】
この構成において、クランプ部材が被駆動要素に係合して被駆動要素が駆動モーターによって回転させられる場合、手指は、本質的に同時に回転させられる。駆動モーターと手指の間の駆動力は、本明細書において以下に記すように、クランプ部材及び被駆動要素を分離することによって遮断されてもよい。
【０２３０】
クラッチ装置の更に他の形状において、図１３に示すように、クランプ部材４２０は、クランプ部材４２０の第１の表面４２１を含む第１の要素４２０ａ、及び、クランプ部材の第２の表面４２２を含む第２の要素４２０ｂを含む複数の部分を含む。圧縮部材４３０は、バネ座金等を含んでもよく、第１及び第２の要素４２０ａ、４２０ｂの間に位置するように構成される。
【０２３１】
上記のように、被駆動要素４１０の接触面、及び、クランプ部材４２０の第１の表面４２１は、被駆動要素をクランプ部材に係合するための１つ又はそれ以上の係合部材を含んでもよい。再度繰り返すが、係合部材は上記のように、突起を含むオス側係合部材、及び、開口のような開口部を含むメス側係合部材であってもよい。被駆動要素の接触面は、クランプ部材の第１の表面上に位置する、対応するメス側係合部材、オス側係合部材又は両方と係合するために構成される１つ又はそれ以上のオス側係合部材、メス側係合部材又は両方を含んでもよい。
【０２３２】
１つの形状において、１つ又はそれ以上のオス側係合部材４２３は、被駆動要素４１０の接触面の上に形成される１つ又はそれ以上の凹部４１３と係合するためにクランプ部材４２０の第１の表面４２１から突出してもよい。他の形状において、被駆動要素４１０は、被駆動要素の接触面から突出し、クランプ部材４２０の第１の表面上の１つ又はそれ以上の凹部に係合するように構成される１つ又はそれ以上のオス側係合部材を含む。
【０２３３】
圧縮部材４３０は、被駆動要素４１０に対してクランプ部材４２０の第１の表面４２１を押圧するように構成される。対応する係合部材はそれゆえに、被駆動要素及びクランプ部材を互いに係合するために共に入れ子になっていてもよい。クランプ部材の第２の要素４２０ｂは、クラッチの第２の端部を含む。
【０２３４】
第２の要素４２０ｂは、手指３１０と係合するために構成されてもよい。この構成では、被駆動要素及びクランプ部材が係合する場合、被駆動要素が回転するにつれて、クランプ部材及び手指は回転する。
【０２３５】
１つの形状において、第２の要素４２０ｂは、指関節接合２６０ａの第１の部分のクラッチ受容開口２６６の間で延長して、圧縮部材４３０に対して押すように構成される第１の端部を含む。第２の要素４２０ｂの第２の端部は、指関節接合２６０ａの第１の部分の取付け面２６５ａに当接して手指の基節骨のような手指３１０と係合するように構成される。好ましくは、手指３１０は、第２の要素上に提供されるクランプ部材の第２の表面４２２のようなクランプ部材４２０の第２の要素に合わせるように構成される受容要素３０５を含む。受容要素３０５は、手指３１０の本体の内部の表面上に配置されてもよい。受容要素３０５は、開口、凹部、あるいは、領域に接している少なくとも１つの壁、又は、複数の突出するアームによって定められる領域を含んでもよい。
【０２３６】
それゆえに、クランプ部材４２０は、指３００に駆動モーター１０の回転運動を伝達するために被駆動要素４１０及びそれぞれの指３００と係合するように構成されてもよい。駆動モーター１０が被駆動要素４１０を回転させると、クランプ部材４２０と被駆動要素４１０の間の係合がクランプ部材４２０を回転させ、手指もまた回転（巻きつく又は屈曲）させられる。
【０２３７】
クラッチ装置４００は、駆動モーター１０を指３００から遮断するために被駆動要素４１０からクランプ部材４２０を分離することによって特定の状態の下で分離されてもよい。これは、被駆動要素の接触面からクランプ部材の第１の表面を分離することによって達成することができる。１つの形状において、被駆動要素４１０のオス側及びメス側係合部材、及び、クランプ部材４２０は、これらの２つの部分４１０、４２０を分離するために互いに分離されてもよい。例えば、図１１Ｂの矢印「Ａ」で示されるように、指が巻きつけられる、あるいは、わずかに巻きつけられて、重い重量を持ち上げることによる引張力の下にある構成である場合、又は、指が端部の衝撃力を受容する場合、引張力又は衝撃力により、クランプ部材４２０から被駆動要素４１０を分離するために、オス側係合部材は本質的に浅い凹部に引かれる、あるいは、そこから押されてもよい。
【０２３８】
分離される場合、被駆動要素４１０は自由に回転し続けてもよいが、切離されたクランプ部材４２０は、もはや回転させられない。結果的に、手指３００もまた、モーター１０の駆動力から分離される。分離時に手指３００が巻きつけられて重い目標物を持ち上げる場合、駆動モーターは巻きつけられた位置に手指を引くことがもはやできないので、手指はそのグリップを解放して本質的に屈曲する位置に延長してもよい。同様に、手指が端部の衝撃を受容する場合、手指は、駆動モーターに損傷を与えることなく少なくとも部分的に衝撃力を吸収するように衝撃の下で曲がることができるために、衝撃力によって直ちにクラッチが分離される。
【０２３９】
切離された指３００は、図１２Ａ及び１２Ｂに示すようにゆるくなり、駆動モーター１０に再係合するために係合位置まで戻される必要がある。
【０２４０】
圧縮部材は、場合により、被駆動要素の接触面４１１の凹部ではない領域、又は、クランプ部材の第１の表面に対してオス側係合部材を押圧し続ける。
【０２４１】
それゆえに、ユーザは、指関節接合２６１の周りで指３００を手動で操作することによって、オス側係合部材とそれぞれのメス側係合部材を再調整することができる。圧縮部材４３０は、クラッチ装置４００及び手指３００を駆動モーター１０に再係合するために、整列されたメス側係合部材にオス側係合部材を自動的に押す。
【０２４２】
他の形状において、図１４Ａから図１４Ｃに示すように、被駆動要素４１０の接触面４１１は本質的に円形である。例えば、被駆動要素はディスク形状又は円筒状の形状であってもよく、接触面４１１は被駆動要素４１０の外周の表面であってもよい。クランプ部材４２０は、２つの遠方端部４２６、及び、被駆動要素４１０の接触面４１１の少なくとも一部の周りを包むように構成される本質的にくぼんだ内部の表面４２１を有する本体を含んでもよい。好ましくは、内部の表面４２１は、本質的に被駆動要素の接触面４１１の少なくとも半分を囲むように構成される。内部の表面は、クランプ部材４２０の第１の表面４２１を含む。１つの形状において、クランプ部材の外側の表面は、クランプ部材の第２の表面を形成してもよい。１つの形状において、クランプ部材本体は、本質的にＵ形状であり、ここで、クランプ部材４２０の２つの遠方端部４２６がＵ形状の本体のアームから延長する。他の形状において、図１４Ａに示すように、クランプ部材本体は、本体のリング状の領域から延長している２つの遠方端部４２６を有するリングを形成するために本質的に円形である。好ましくは、２つの遠方端部４２６は、クランプ部材本体４２０から本質的に垂直に延長する。
【０２４３】
圧縮部材４３０は、クランプ部材の第１の表面４２１が被駆動要素の接触面４１１に対して締着されるように、被駆動要素の周りでクランプ部材本体を締めるために一方の遠方端部４２６に対して少なくとも１つの遠方端部４２６を押圧するように構成される。
【０２４４】
クランプ部材４２０は、クラッチ装置４００の第２の端部を含んでもよい。クランプ部材４２０は、手指の本体上に位置する受容要素のように、手指３１０と直接又は間接的に係合するように構成されてもよい。１つの形状において、クランプ部材は、手指の基節骨に係合するように構成されてもよい。
【０２４５】
受容要素３０５は、手指３１０の本体の内部の表面上に配置されてもよい。受容要素３０５は、開口、凹部、あるいは、領域に接している少なくとも１つの壁又は複数の突出するアームによって定められる領域を含んでもよい。１つの形状において、受容要素３０５は、圧縮部材がクランプ部材４２０の遠方端部４２６の一方又は両方に対して押圧することができるように圧縮部材の少なくとも一部をそこにまた受容するように構成される。受容要素３０５は、クランプ部材４２０の第２の表面に合うように構成されてもよい。
【０２４６】
１つの形状において、圧縮部材４３０は、第２の遠方端部４２６ｂの方へ第１の遠方端部を押すために、手指３１０の本体へ、及び、第１の遠方端部４２６ａに対して回してはめ込まれるネジを含んでもよい。随意に、圧縮部材４３０は、クランプ部材４２０の第１及び第２の遠方端部４２６の両方が受容要素３０５内で互いの方へ押されるために、対向する側から手指３１０の本体に回してはめ込まれる一対のネジを含んでもよい。
【０２４７】
被駆動要素の接触面に対してクランプ部材の第１の表面を締着することによって、駆動モーターが被駆動要素を回転するにつれて、クランプ部材は回転させられる。クランプ部材が手指と係合するので、手指もまた、回転させられる。
【０２４８】
大きい衝撃力が手指の端部に影響を与える場合、湾曲する場合、又は、手指が大きい牽引力を受けるために手指が重い目標物を持ち上げる場合、クランプ部材は、被駆動要素から分離されてもよい。例えば、大きい押圧力又は牽引力はクランプ部材と被駆動要素の間の摩擦推力に打ち勝ち、クランプ部材が被駆動要素の周辺ですべり始めて、それにより被駆動要素から分離される。このような方法で、手指は、駆動モーターを大きい押圧／牽引力から保護するために駆動モーターから分離される。
【０２４９】
上記したものは、指を駆動モーターに係合して、分離するために用いてもよいクラッチ装置のほんのいくつかの形状を記載したものである。他の形状のクラッチ装置が代わりに用いられてもよいと認識されるべきである。
【０２５０】
本発明のクラッチ装置は、極端に強い力による駆動モーターの酷使を減らす安全性の特徴を自動義手に提供するものである。
【０２５１】
本発明のクラッチ装置によって提供される他の利点は、義手の指が、手指、クラッチ装置及び駆動モーター間の最小の摩擦でモーターの方向に従って、巻きつき屈曲することができることである。従来の自動義手と異なって、義手の指は、指を開いた位置に付勢するためにバネを必要としない。従来の自動義手のバネは概して固く、それは手指の速度を遅くし、駆動モーター摩耗させる。逆に、本発明のクラッチ装置は、義手の指を比較的急速に動かすことができる。他の有益な効果は、クラッチ装置によって、義手が駆動モーターから得るゲインを向上させることができることである。クラッチ装置はまた、手指が屈曲するにつれて手指の制御された動きを通じて義手の制御された開きを提供する。これは、手指を屈曲した位置に引く付勢力に、手指がさらされないという理由からである。
【０２５２】
手首
１つの形状において、本発明は、手首接合で義手のコンパクトな屈曲を提供するように構成される手首接合を含む。他の形状において、本発明は、手首接合で義手のコンパクトな回転を提供するように構成される手首接合を含む。随意に、手首接合は、（例えば電力供給されたフック又は自動義手のような）電動端末装置の手首をアーム部材に取り付ける従来の迅速な遮断システムに取り付けられるように構成されてもよい。更に他の形状において、本発明は、義手のコンパクトな屈曲及び義手のコンパクトな回転を提供するように構成される手首接合を含む。
【０２５３】
１つの形状において、図１５から図２４に示すように、本発明の自動義手１００は、義手の掌に取り付けられて、アーム部材に取り付けられるように構成される手首接合５００を含む。アーム部材は、自動義手が使用中の場合、ユーザの基部が配置されるスリーブであってもよい。代わりに、アーム部材は、例えば機械的なアームであってもよい。
【０２５４】
手首接合は、掌の位置がアーム部材と関連して調節されてもよいように構成される位置決めシステムを含んでもよい。例えば、手首接合は、義手の垂直回転を提供するように構成されてもよい。
【０２５５】
１つの形状において、位置決めシステムは、掌に取り付けられてもよく直接又は間接的にアーム部材に取り付けられる車軸を含んでもよい。掌２００は、掌がアーム部材に関連して巻きつけ、屈曲することができるために車軸５２０の周りで回転するように構成される。車軸は、アーム部材が掌にできるだけ近くに届くことができるように掌の殻内で保たれて、それによって、手首接合は本質的にコンパクトになることができる。
【０２５６】
他の形状において、図１５に示すように、位置決めシステムは、位置決め部材５１０、車軸５２０及び係止部材５３０を含んでもよい。好ましくは、位置決めシステムは、掌内で本質的に配置される。例えば、車軸、係止部材及び位置決め部材の少なくとも一部は、掌内で配置されてもよい。
【０２５７】
車軸５２０は、掌２００に接続される。掌がアーム部材に関連して巻きつけ、屈曲することができるために、掌２００は車軸５２０の周りを回転するように構成される。例えば、アーム部材が地面に水平に延長しかつ掌２００の接触面２２１が地面に面する所で、掌２００は、アーム部材と関連して上方（屈曲）及び下方（巻きつく）へヒンジ結合することができる。
【０２５８】
１つの形状において、車軸は、義手の掌の本体内で保たれるように構成される。車軸５２０は、掌の第１の側部２０１から第２の側部２０２まで掌を横切って本質的に延長してもよい。車軸５２０の各々の端部５２０ａ、５２０ｂは、回転可能に掌２００に取り付けられてもよい。１つの形状において、掌２００の基底部は、車軸５２０を受容するように構成される開口、凹部等であってもよい本質的に対向する開口部２０５ａ、２０５ｂの対を含んでもよい。車軸受容開口は、掌の内部又は掌の殻の範囲内で提供されてもよい。一実施形態において、各々の車軸受容開口２０５ａ、２０５ｂは、掌の殻の下部２２０において形成される。
【０２５９】
１つの形状において、車軸の各々の端部５２０ａ、５２０ｂは、本質的に圧縮可能な車軸取付け部５２５により支えられてもよい。本質的に圧縮可能な車軸取付け部５２５は、手首接合に側面の衝撃緩衝を提供し、それにより、義手はより良好に側面の衝撃力に耐えることができる。
【０２６０】
１つの形状において、各々の車軸受容開口は本質的に圧縮可能な材料で形成されてもよい、あるいは、車軸取付け部を形成するために本質的に圧縮可能な材料に沿って並べられてもよい。
【０２６１】
他の形状において、図１５に示すように、本質的に圧縮可能な車軸取付け部５２５は、車軸５１０の各々の端部に取り付けられ、義手の掌において形成される車軸受容開口２０５ａ、２０５ｂ内で支えられてもよい。
【０２６２】
位置決め部材５１０は、位置決め部材の少なくとも一部が掌内に配置されるために、車軸５２０に載置されてもよい。
【０２６３】
位置決め部材５１０は、アーム部材と関連して掌２００を所望の位置に固定する係止部材５３０と係合するように構成されてもよい。
【０２６４】
図１５及び１６に示すように、位置決め部材５１０は、掌の方に面する第１の端部５１０ａを有する本体、及び、アーム部材の方に面するように構成される第２の端部５１０ｂを含んでもよい。
【０２６５】
１つの形状において、位置決め部材５１０は、車軸５２０をそこに受容するための車軸受容開口５１４を含む。車軸受容開口は、位置決め部材の本体上のいかなる適切な位置で形成されてもよい。一実施形態において、図１６で最も良く示されるように、車軸受容開口５１４は、位置決め部材の第１の端部５１０ａで、又はその近くに配置される本質的に中空の軸を含む。車軸の端部５２０ａ、５２０ｂの各々が軸５１４を越えて延長し、上記のように、車軸取付け部５２５によって掌内で支えられるために、車軸５２０は軸５１４を通過する。
【０２６６】
位置決め部材５１０は、係止部材５３０と係合するように構成される１つ又はそれ以上の係合要素を含んでもよい。
【０２６７】
１つの形状において、係合要素は、１つ又はそれ以上の対応する開口部又は係止部材の係止ピンに係合するように構成される少なくとも１つの係止ピン又は開口部を含んでもよい。
【０２６８】
１つの形状において、位置決め部材５１０は、１つ又はそれ以上の係合要素５１６がその上に位置する係止アーム５１５を含む。係止アーム５１５は、位置決め部材の第１の端部５１０ａから突出してもよい。１つの形状において、係止アーム５１５は、車軸受容軸５１４に取り付けられる又はそれと一体的であり、軸５１４から突出する。係止アーム５１５は、車軸５２０の長手方向に対して本質的に垂直な方向に突出してもよい。この構成では、係止アームは、義手の掌の本体に突出する。
【０２６９】
１つの形状において、係止アーム５１５は、開口、凹部、刻み目等であってもよい１つ又はそれ以上の開口部５１６の形の係合要素を含む。１つの形状において、係止アーム５１５は、各々の開口部が車軸５２０から等間隔に設置されるために湾曲して形成される一連の開口部５１６を含む第１の側部５１５ａを含む。１つの形状において、係止アーム５１５は、複数の刻み目５１６を含む凸面の端５１７を含む。刻み目５１６は、開口部／刻み目の本質的に湾曲した線を形成するために車軸５２０から本質的に等距離に位置する。
【０２７０】
係止アーム５１５の開口部５１６は、係止部材が開口部５１６と係合することができるために、係止部材５３０に接近可能であるように構成される。
【０２７１】
位置決め部材、及び、係止部材は、アーム部材と関連して掌を特定の位置に固定するために互いに係合するように構成される。例えば、位置決めシステムは、図１７Ａ及び図１７Ｂに示すように、掌及びアーム部材が本質的に整列されてもよい中立位置；図１７Ｃに示すように、掌がアーム部材に関して下方へ角度を付けられる、巻きつけられた位置；及び、図１７Ｄに示すように、掌がアーム部材に関して上方へ角度を付けられる、屈曲した位置；に義手を固定してもよい。これらの位置は、あたかもユーザが彼又は彼女の体の前で義手の掌を下に向けて本質的に水平にアーム部材を保っているかのように記載されている。しかしながら、これらの用語は、理解の容易さのために用いられるものであって、本発明の範囲を制限する意図を有しないものである。
【０２７２】
１つの形状において、図１８及び図１９に示すように、係止部材５３０は、義手の掌２００に取り付けられ、その範囲内に位置する。係止部材は、係止アーム５１５の開口部５１６のいずれかと係合するために構成される係止ピン５３１を含む。係止ピン５３１は、係止アームの開口部５１６の方へ突出してもよい。係止ピンが係止部材５３０及び位置決め部材５２０を共に固定するために開口部５１６のうちの１つにおいて受容されるために、係止ピンは、係止アーム５１５の方へ動くように構成されてもよい。この構成では、係止ピン５３１は掌２００を定位置に固定する。掌は、係止部材５３０を位置決め部材５１０の係合要素５１６のいずれか１つと係合させることによって多くの所望の位置のいずれか１つに固定されてもよい。係止ピン５３１はまた、係止ピンが係止部材５３０及び位置決め部材５２０を分離するためにそれぞれの開口部５１６から収縮し、掌が自由に巻きつき屈曲することができるために、係止アーム５１５から離れて動くように構成されてもよい。
【０２７３】
位置決めシステムは、第１のモードと第２のモードの間で位置決めシステムを切替えるように構成されるスイッチを含んでもよい。第１のモードにおいて、位置決めシステムは、上記のように、手首接合に関して掌を様々な位置のいずれか１つに固定するように構成される。第２のモードにおいて、位置決めシステムは、最大に動く２つの点の間で掌が手首接合から自由にヒンジ結合することができるように構成され；一方の点は、最大に屈曲する位置であり、もう一方の点は、最大に巻きつく位置である。
【０２７４】
１つの形状において、係止部材５３０はスイッチを含む。
【０２７５】
スイッチは、位置決め部材の方へ（位置決め部材と係合するために）係止ピン５３１を動かし、位置決め部材から離れるように（位置決め部材から分離するために）構成される。
【０２７６】
１つの形状において、図１８及び図１９に示すように、スイッチは、掌の第１の側部２０１から第２の側部２０２へ掌の殻の内部を横切って延長する摺動アーム５３２を含む。
【０２７７】
掌２００の殻は、その中に摺動アームが配置される本質的に対向する開口を含んでもよい。一実施形態において、掌の下部は、掌の両側２０１、２０２上に位置する一対の本質的に対向する開口２０６を含む。開口２０６は、その中に摺動アーム５３２の端部が配置される溝を形成するために構成されてもよい。摺動アームは、溝の中で前後に摺動するように構成されてもよい。
【０２７８】
ストッパー５３３は、摺動アーム５３２の各々の端部で提供されてもよい。開口２０６は、摺動アーム５３２が開口２０６内で自由に摺動することができるように構成されてもよいが、ストッパー５３３が開口２０６から出て、掌２００の内部に入るのを防ぐように構成される。例えば、掌２００の内部に面している開口２０６の直径は摺動アーム５３２の直径より大きくてもよいが、図１９に示すように、ストッパー５３３の直径よりも小さい。
【０２７９】
係止ピン５３１は、摺動アーム５３２に取り付けられる。例えば、係止ピン５３１は、摺動アーム５３２に取り付けられる又は一体的であってもよい。係止ピン５３１は、摺動アーム５３２の長手方向に本質的に延長し、隔板５３４によって摺動アーム５３２から間隔を置いて配置されてもよい。好ましくは、係止ピン５３１は、摺動アーム５３２と本質的に平行の状態にあるように構成される。
【０２８０】
アーム部材と関連して義手１００を所望の位置に固定するために、掌２００は所望の位置に届くまで車軸５２０の周りを回転する。ストッパー５３３は、第１のボタン５３３ａが第１の方向に押され、摺動アーム５３２を掌２００の対向する側の方へ摺動させるためのスイッチのボタンとして働いてもよい。係止ピン５３１は、係止アーム５１５の開口部５１６と係合するため、同時に位置決め部材５１０の方へ動かされる。義手の掌２００はここで、位置決め部材５１０及びアーム部材と関連した位置に固定される。掌２００は、この固定された位置で車軸５２０の周りを回転することができない。
【０２８１】
定位置から義手１００を解くため、第２のボタン５３３ｂは、掌２００の対向する側の方へ摺動アーム５３２を動かすために第１の方向に対向する側の第２の方向に押される。係止ピン５３１はそれゆえに、係止アーム５１５のそれぞれの開口部５１６から離れて分離するように動かされる。解かれた／切離された位置では、掌２００は、最大の屈曲位置と最大の巻きつき位置の間において車軸５２０の周りで自由にヒンジ結合することができる。掌２００が位置決め部材５１０に関してそれ以上巻きつき屈曲するのを防ぐため、動きの最大限度は、位置決め部材５１０又は車軸に当接する掌２００の範囲内で止め具によって提供されてもよい。
【０２８２】
１つの形状において、手首接合は、引張力がかかるように掌２００を保つための引張部材５４０を含む。この構成において、掌２００は本質的にバタバタせずに車軸５２０の周りで自由にヒンジ結合してもよい。引張部材は、位置決め部材５１０から延長してもよく、掌２００を押圧する又はそれと係合する。１つの形状において、図２０Ａから図２０Ｃに示すように、引張部材５４０は、位置決め部材５１０の係止アーム５１５から延長し、掌の内部の表面に対して押圧する板バネを含む。
【０２８３】
１つの形状において、手首接合の位置決めシステムは、義手をアーム部材に接続するように構成されるコネクタ５２０を含んでもよい。コネクタ５２０は、掌がアーム部材と関連して左右に回転させることができるように、掌２００をアーム部材に取り付けるために構成されてもよい。
【０２８４】
例えば、１つの形状において、位置決めシステムは、位置決め部材５１０、車軸５２０、係止部材５３０、及び、上記のようにコネクタ５５０を含んでもよい。
【０２８５】
コネクタ５５０は、第１の端部５５０ａ及び第２の端部５５０ｂを有する本体を含む。コネクタの第１の端部は義手の掌の方へ面し、第２の端部はアーム部材の方へ面するように構成される。１つの形状において、コネクタは、その第１及び第２の端部５５０ａ、５５０ｂの間で延長する受容開口５５１を含む。好ましくは、コネクタが、コネクタの本質的に中空の本体への開口部を含むように、コネクタは本質的にリング状あるいは管状である。
【０２８６】
位置決め部材が定位置でアーム部材に取り付けられるコネクタと関連して回転してもよいように、位置決め部材５１０は、回転配置においてコネクタ５５０と係合するように構成される。
【０２８７】
一実施形態において、位置決め部材５１０の第２の端部５１０ｂは、コネクタ５５０の第１の端部５５０ａで本質的に円形の受容開口５５１に適合するように構成される本質的に円形の末端部を有する。１つの形状において、位置決め部材５１０は、本質的に円筒状あるいは円錐形の本体を含む。位置決め部材本体５１０の内部は、位置決め部材が本質的に中空であるための開口部５９０を含む。１つの形状において、位置決め部材本体の内部は、本質的に中空の管を形成する。
【０２８８】
位置決め部材は、いかなる適切な配置でコネクタに取り付けられてもよい。例えば、位置決め部材の第２の端部は、コネクタのネジ付き第１の端部と係合するためにネジ付きであってもよい。他の形状において、締結具は、位置決め部材及びコネクタを共に取り付けるために用いられてもよい。好ましい形状において、締結具は、位置決め部材の本質的に中空の内部を侵さずに位置決め部材及びコネクタを共に取り付けるために用いられる。
【０２８９】
１つの形状において、図１５及び図１６に示すように、位置決め部材５１０は、位置決め部材５１０の本体から突出するフランジ５１８を含む。フランジは、位置決め部材の第１の端部で又はその近くに好ましくは配置される。コネクタの第１の端部５５０ａにおいて、受容開口５５１は、フランジ５１８の直径より小さい直径を有するように構成される。位置決め部材５１０は、図２１に示すように、フランジがコネクタの第１の端部５５０ａに当接するために、コネクタの受信開口５５１内で位置決め部材の第２の端部５１０ｂを配置することによってコネクタ５５０に取り付けられてもよい。締結具はそれから、位置決め部材がコネクタ内で回転することができるがコネクタと分離することができないように、コネクタ内で適所にゆるく位置決め部材を保つために用いられてもよい。
【０２９０】
１つの形状において、図１５、図２１、図２２Ａ及び図２２Ｂに示すように、一対の隣接した穴５５２は、コネクタの第１の端部５５０ａの近くで本質的に対向する側に提供される。ピン５５３を含む締結具は、穴５５２の各々の対の間で延長するように構成される。各々のピン５５３は、位置決め部材の側に対して、本体５１０を締着するように構成されてもよい。１つの形状において、例えば、バネ付き突起、グラブネジ、又は他の適切なシステムのような圧縮部材５５４は、コネクタ５５０の側壁の貫通孔５５５を延長して、ピン５５３を押圧し、ピン５５３を位置決め部材５１０に対してゆるく締着させるように構成されてもよい。随意に、ピン５５３は、圧縮部材が押圧する受容要素を含んでもよい。
【０２９１】
バネ付きの圧縮部材を使用する利点は、ピン５５３が、位置決め部材を適所に保つために位置決め部材の本体に対して堅固に押圧することである。しかしながら、掌に十分な回転力が適用されることで、位置決め部材は、コネクタに関連して回転するためにピン５５３によって適用される圧縮力及び摩擦力を克服することができる。このように、締結具は、十分な回転力が取り除かれる場合、自動的に解放して再係合される。
【０２９２】
位置決め部材の内部の表面を侵さない締結具で位置決め部材をコネクタに取り付ける利点は、手首接合によって、ユーザの義手の基部が手首接合に突出することができる空間を最大にすることである。これにより、アーム部材、手首及び義手の全長及び構成が本質的に解剖学的に適切に見えることが可能になる。
【０２９３】
しかしながら、これは、位置決め部材５１０をコネクタ５５０に取り付けることができるほんの１つの配置である。周知のように、２つの部分５１０、５５０は、いかなる適切な配置において共に取り付けられてもよい。例えば、代替的な形状において、コネクタの第１の端部は、代わりに位置決め部材の第２の端部の中で適合するように構成されてもよい。
【０２９４】
位置決め部材５１０は、位置決め部材本体の外側の表面から突出し、コネクタの内部の表面と係合するように構成される少なくとも１つの係止用指部５７０を含んでもよい。好ましくは、位置決め部材は、２つの係止用指部５７０を含む。１つの形状において、図２３Ｂに示すように、各々の係止用指部はバネ付きの突起を形成してもよい。例えば、係止用指部は、室５７２の中で保たれ、位置決め部材５１０の本体において形成される、あるいは、位置決め部材の本体において形成された開口５１９に適合するボール又は玉軸受のようなダボ５７１を含んでもよい。バネのような付勢部材が、ダボ５７１と室５７２の閉じた端部の間に配置されてもよい。ダボ５７１は、室５７２の開いた端部から突出し、圧縮バネの自由端と受容開口５５１の内部の表面の間で締着される。コネクタ５５０は、その内部の表面に、開口又は凹部の形で複数のインデックス化小結節５５６を含んでもよい。インデックス化小結節５５６は、コネクタの第１の端部５５０ａの近くでコネクタの受容開口５５１の内部の表面の周りで線において延長してもよい。ダボ５７２は、インデックス化小結節５５６のいずれかと係合するように構成される。しかしながら、十分な力によって、圧縮バネが更に圧縮して、ダボ５７２がそのそれぞれのインデックス化小結節５５６から隣接した小結節に押されるように、位置決め部材５１０はコネクタ５５０内で回転してもよい。このように、掌２００は、位置決め部材５１０をコネクタ５５０内で回転させるために横に回転してもよい。掌２００が所望の位置に届くと、圧縮バネは、掌を適所に固定するためにそれぞれのインデックス化小結節５５６にダボ５７２を押す。好ましくは、掌が最大で４５°左右に回転することができるために、位置決めシステムは構成される。
【０２９５】
それゆえに、位置決めシステムは、掌が巻きつき、屈曲する及び／又は横に回転することができるように構成されてもよい。
【０２９６】
他の形状において、手首接合は、（電力供給されたフック又は自動義手のような）電動端末装置をアーム部材に取り付けるように構成される。１つの形状において、手首接合は、電動端末装置の方へ面するように構成される第１の端部、及び、アーム部材の方へ面するように構成される第２の端部を含む本体を含んでもよい。手首接合はまた、ユーザの基部の一部が手首接合の少なくとも一部を通って延長することができるように、手首接合の本体の本質的に中空の領域に延長する開口を含んでもよい。随意に、開口は、手首接合の第１及び第２の端部の間で延長する。例えば、１つの形状において、手首接合の本体は、本質的に管状あるいはリング状で形成されてもよい。手首接合は、手首接合と関連してヒンジ結合を可能にするために回転可能に掌に取り付けられる車軸を更に含んでもよい。
【０２９７】
１つの形状において、図２４に示すように、手首接合は、本質的に平面の本体を含む位置決め部材５１０を含む。位置決め部材は、手首接合を形成するためにコネクタ５２０に取り付けられるように構成されてもよい。位置決め部材及び／又はコネクタは、手首接合をユーザの腕に取り付けるためにアーム部材に取り付けられてもよい。１つの形状において、位置決め部材の第２の端部５１０ｂは、本質的に滑らかな表面を含んでもよい。位置決め部材は、公知技術において周知の迅速分離手首システムを含む、あるいはその形状でアーム部材に取り付けられてもよい。位置決め部材及びアーム部材は、ネジのような締結具、又は接着剤、あるいは、他の適切な取付け形状を用いていかなる適切な方法で共に取り付けられてもよい。好ましくは、位置決め部材の第２の端部５１０ｂは、迅速分離手首システムのようなアーム部材の端部上へ回してはめ込まれる又はボルトで固定される。１つの形状において、位置決め部材及びアーム部材が共に取り付けられる場合にコネクタもアーム部材に取り付けられるために、コネクタは、位置決めシステムの第２の端部とアーム部材の末端部の間に配置されてもよい。この構成では、コネクタは、位置決め部材とアーム部材の間で締着される。位置決め部材は、コネクタと関連して回転することができない。随意に、アーム部材／迅速分離手首システムは、掌がアーム部材に関連して左右に回転することができるような回転端部を含む。それゆえに、手首接合の位置決めシステムは、掌を従来のアーム部材又は専用のアーム部材に取り付けるように構成されてもよい。
【０２９８】
随意に、位置決め部材及びコネクタは、単一の部品として形成される。
【０２９９】
手首接合は、電気コネクタが掌をアーム部材に接続するために配置されるケーブルポート５８０を含んでもよい。例えば、位置決め部材及びコネクタは各々、掌とアーム部材の間にケーブルポートを形成するために本質的に整列された開口を含んでもよい。
【０３００】
図２１及び図２３に示すように、コネクタ５５０の第２の端部は、ユーザの基部の上で適合するスリーブの形で自動義手をアーム部材に取り付けるためのスリーブ取付けシステム６００を含んでもよい。
【０３０１】
本発明の手首接合の利点は、位置決めシステムの少なくとも実質的な部分が義手の掌の範囲内に収容されるので、手首接合は、アーム部材と義手の掌の間のごくわずかな空間しか占めることがないということである。結果的に、義手が人工装具として使われる場合、手首接合、及び、掌とアーム部材の間の連結は、本質的に解剖学的に適切であるように見える。
【０３０２】
位置決め部材及びコネクタもまた、自動義手内で適合することができるユーザの基部の長さを最大にするために、本質的に中空であるように構成されてもよい。図２２Ｂ及び図２３で示されるようにこれもまた、義手が解剖学的により適切に見えるのを補助する。
【０３０３】
１つの形状において、手首接合はまた、液体がアーム部材／スリーブを通るのを防ぐために位置決め部材とコネクタの間の防水封止５６０を含んでもよい。
【０３０４】
訓練用義手
人工装具の義手のユーザは、必要なＥＭＧ（筋電図）信号を作成して、所望の位置の方へ義手を動かす必要がある。概して、人工装具の義手のユーザは、使用する実際の人工装具の義手を受け取る前に、相当期間の間、義手を使用するための練習が必要である。いくつかの形状において、練習用義手はコンピュータでシミュレーションされた義手であってもよい。しかしながら、ユーザによって用いられる実際の人工装具の義手は、練習用義手とは異なる感度を有する可能性がある。これは、長い間練習用義手によってユーザが練習していたにもかかわらず、実際の義手は、予想通りに作動しないかもしれないことを意味する。それゆえに、本発明の自動義手は、制御システムを含んでもよく、義手が使われるような訓練をユーザに提供するように構成される。
【０３０５】
１つの形状において、図２５に示すように、義手１００は、義手の駆動モーターに接続される制御システムを含んでもよい。制御システムは、ユーザから１つ又はそれ以上のＥＭＧ信号；ユーザーインタフェースから１つ又はそれ以上の電子信号；又は、その両方を受信するように構成されてもよい。制御システムはまた、受信した信号に従い指が所定のグリップパターンを取るように構成されてもよい。
【０３０６】
制御システムは、受信した信号に基づき義手が所定のグリップパターンを取るようにプログラム可能であってもよい。
【０３０７】
義手は、信号が制御システムによって受信されたことを示す１つ又はそれ以上の指示器の形でディスプレイを含んでもよい。１つの形状において、１つ又はそれ以上の指示器は、ＥＭＧ信号がユーザに受信されたことを示すように構成されてもよい。加えて又は代わりに、１つ又はそれ以上の指示器は、義手１００のグリップパターンを示すように構成されてもよい。更に他の形状において、１つ又はそれ以上の指示器は、例えばＷｉ−Ｆｉ又はブルートゥース（登録商標）接続を経て信号が義手のユーザーインタフェースから受信されたことを示すように構成されてもよい。１つの指示器はまた、アラームモードを示してもよい。
【０３０８】
１つ又はそれ以上の指示器は、１つ又はそれ以上の視覚の指示器１５０、音声指示器１６０又はその両方を含んでもよい。
【０３０９】
１つの形状において、義手は、信号が制御システムによって受信されたことを示す少なくとも１つの視覚の指示器及び少なくとも１つの音声指示器を含む。
【０３１０】
視覚の指示器１５０は、異なる色であっても、及び／又は義手１００の位置に従い様々なパターンで発光するＬＥＤのような照明であってもよい。代わりに、ディスプレイは図５４で示すような英数字ディスプレイ８０９であってもよい。英数字ディスプレイにより、各々の選択されたグリップパターン、特定の障害状態、及び、ＥＭＧ信号強度の詳細な範囲等の表示が可能になる。
【０３１１】
音声指示器１６０は、制御システムによって作成され、義手１００上に提供されるスピーカーによって発される音であってもよい。
【０３１２】
１つの形状において、義手１００は、掌２００又は手首領域５００の上部２１０のように義手１００のいかなる適切な部分にも配置される、１つ又はそれ以上の視覚の指示器１５０及び／又は音声指示器を含んでもよい。例えば、１つ又はそれ以上の指示器１５０、１６０は、掌２００の上部２１０の上部表面２１１上に配置されてもよい。好ましくは、３つの照明１５０が掌の上部表面２１１に提供される。
【０３１３】
義手は、それを通じてユーザが、義手に所定のグリップパターンを取らせるように制御システムに指示を入力するユーザーインタフェース１８０を含んでもよい。ユーザーインタフェース１８０は、それを通じてユーザが、義手に所定のグリップパターンを取らせるようにデータを入力する１つ又はそれ以上の入力部材１７０を含んでもよい。１つ又はそれ以上の入力部材１７０は、１つ又はそれ以上のボタン、ダイヤル又はデータを入力する他の適切なシステムを含んでもよい。ユーザーインタフェースは、タッチセンサー又は機械的に作動する、あるいはその両方であってもよい。
【０３１４】
１つの形状において、ユーザーインタフェース１８０は１つ又はそれ以上の押し下げ可能なボタン１７０を含む。他の形状において、ボタンはタッチセンサーであってもよい。ボタン１７０は、義手の上部２１０、手首領域５００又は下部２２０のベースといった義手１００のいかなる適切な部分上に配置されてもよい。１つの形状において、ボタン１７０は、義手の上部２１０の上部表面２１１上に位置する。好ましい形状において、図２４に示すように、２つ又は３つのボタン１７０が提供される。しかしながら、他の形状において、４つ以上のボタンが用いられてもよい。
【０３１５】
ユーザーインタフェース１８０は、義手の掌２００の殻の上のパネルを含んでもよい。１つ又はそれ以上の入力部材１７０が、パネルに提供されてもよい。入力部材１７０を制御システムに接続する電子部品は、殻の範囲内で配置されてもよい。好ましくは、電子部品及び制御システムに液体が入るのを避けるためにパネル１８０は封止される。代わりに、電子部品は掌２００の殻の中で封止された筐体の範囲内で配置されてもよい。
【０３１６】
随意に、義手１００は、１つ又はそれ以上の入力部材１７０、及び、１つ又はそれ以上の視覚１５０及び／又は音声１６０の指示器を含む。１つ又はそれ以上ボタン１７０のような１つ又はそれ以上の入力部材は、視覚の指示器１５０及び／又は音声指示器１６０として義手１００と同じ領域に配置されてもよい。例えば、上記のように、１つ又はそれ以上の入力部材１７０、及び、１つ又はそれ以上の指示器は義手上のユーザーインタフェースパネル１８０上に配置されてもよい。１つの形状において、ＬＥＤライト１５０は、各々の入力部材又はボタン１７０の隣に配置されてもよい。１つの形状において、義手は、１つ又はそれ以上の視覚の指示器１５０を含む１つ又はそれ以上の入力部材１７０を含んでもよい。例えば、ＬＥＤライトは、各々のボタン上に配置されてもよい。他の例では、複数のＬＥＤライトは、ダイヤル上に提供されてもよい。
【０３１７】
１つの形状において、視覚及び／又は音声指示器の数は、ボタンのような入力部材の数と等しくてもよい。他の形状において、入力部材の数は、視覚の指示器及び／又は音声指示器の数を超える、あるいはそれより少なくてもよい。
【０３１８】
１つ又はそれ以上の入力部材１７０から受信される信号、ＥＭＧ信号又はその両方が、義手１００のグリップパターンから他のパターンに変化させるために用いられるように、義手の制御システムは構成されてもよい。例えば、ユーザは、親指３２０が対向した位置にあり、義手の手指３１０及び親指３２０が巻きつけられるようなグリップパターンを選ぶため、特定のパターンの１つ又はそれ以上のボタン１７０を押してもよい。
【０３１９】
特定の指示器又は指示器の組合せは、制御システムによって受信される信号がＥＭＧ信号であるか、あるいは入力部材のうちの１つからの入力信号であるかを示すために用いられてもよい。例えば、赤色光は、ＥＭＧ信号が受信されたことを示してもよく、緑色光は、入力信号がユーザーインタフェースから受信されたことを示してもよい。１つの形状において、単一のＬＥＤ指示素子の輝度は、ユーザに受信されたＥＭＧ信号の強さの指示を提供するために、受信されたＥＭＧ信号の強さに比例して変化してもよい。
【０３２０】
義手の制御システムは、義手の入力部材１７０、ＥＭＧ信号又はその両方を通じて制御システムにデータを入力することによって得られる例えば２０種類の最も一般的なグリップパターンといった、特定の数のグリップパターンを記憶するように構成されてもよい。１つの形状において、ユーザが所望のグリップパターンを選ぶようにこの状態から数回、入力ボタンを押して、第１のグリップパターンが選ばれる場合、指示器は照らされる。
【０３２１】
ユーザが特定のグリップパターンを達成するために必要であるＥＭＧ信号を作成することができない場合、入力部材１７０は、特に役立つ可能性がある。
【０３２２】
１つの形状において、制御システムは、いくつかのＥＭＧ信号のみを認識するようにプログラムされてもよい。この形状において、他のグリップパターンが、ユーザーインタフェース１８０の入力部材１７０によって制御されてもよい。
【０３２３】
それゆえに、本発明の義手１００は、ユーザを義手に慣れさせる、特に義手の様々な位置決めに慣れさせるために訓練するのを補助する訓練ツールとして使われるように構成されてもよい。
【０３２４】
液体に対応可能な義手
１つの形状において、本発明の義手は濡れた場合に作動するように構成されてもよい。例えば、義手は、義手の上に手袋又は防水カバーを用いる必要なしで、水に沈められた場合に作動するように構成されてもよい。
【０３２５】
多くの作動する機械的な部品を有する電気的に動力供給された自動義手を液体に対応可能であるように作成するのは、非常に困難である。義手を本質的に解剖学的に適切に見せるように義手の部品が非常に小さく設計されている場合には、更に困難である。水に対応可能な義手を提供するため、典型的な自動義手の構造が、発明者によって最初から最後まで再設計された。結果として、本発明の液体に対応可能な自動義手は、乾いていても濡れていても作動するように構成された。義手が水のような液体に沈められる場合、義手の内部が濡れてもよいので、義手は防水ではない。その代わりに、義手は液体に対応可能であるように構成され、それは、液体に沈められた時でも義手が作動することを意味する。
【０３２６】
義手は、いくつかの点で液体又は水に対応可能であるように構成される。例えば、義手の駆動モーターは、封止された筐体内で個別に収容されてもよい。電気接続は、例えばリモート連結又はリボンケーブルのような、液体に対応可能ないかなる適切な連結を用いて提供されてもよい。１つの形状において、リボンコネクタは、掌及び／又は指の電子部品をスリーブのようなアーム部材の電子部品と接続するため、掌とアーム部材の間の手首接合を横切るように用いられる。リボンコネクタは防水であるように構成されて、また、掌が巻きつく、屈曲する及び／又は手首接合の周りを回転するような義手の移動的な性質に耐えるように構成されてもよい。
【０３２７】
コントローラ及び電子部品は、義手の掌内の電子部品筐体のような１つ又はそれ以上の封止された筐体内で配置されてもよい。
【０３２８】
掌及び手首接合はまた、１つ又はそれ以上の防水封止を含んでもよい。例えば、封止は、自動義手のアーム部材／スリーブに液体が入るのを防ぐために位置決め部材及び手首接合のコネクタの間に配置されてもよい。特に、手首接合は、上記のようにコネクタに取り付けられる位置決め部材を含んでもよく、スリーブを含むアーム部材もまた、コネクタに取り付けられてもよい。ゴム入りの封止は、取付けられた位置決め部材とコネクタの間に配置される。液体がスリーブに通ってスリーブ内の電子部品の構成要素に損傷を与えないように、コネクタ、位置決め部材及び封止は共に、スリーブへ封止された端部を形成する。使用の間、スリーブ内で配置されるユーザの基部もまた、乾燥状態で保持される。
【０３２９】
本発明の位置決めシステムを用いて及び／又は遮断システムを用いて義手がアーム部材に取り付けられる所では、義手はアーム部材と関連して回転することできる。液体に対応可能な義手に連結する場合、この回転能力は特に有益である。
【０３３０】
義手は、排水可能であるように構成されてもよい。例えば、義手は、義手が液体に沈められた後、液体がそこから流出することができる掌及び／又は指の開口のような１つ又はそれ以上の排水ポートを含んでもよい。代わりに、液体は、例えば、指関節及び指接合の周りで形成される開口部のような義手の隣接した部分の間で提供される１つ以上の開口部を通じて排水されてもよい。
【０３３１】
本発明の自動義手は、それゆえに、ユーザが例えば、皿を洗うために義手を使用することができるように、流出及び排水可能であるように構成される。
【０３３２】
追加のグリップを提供するのを補助するために、例えば粘着性である、きめのある、あるいは高摩擦面のようなグリップ援助面が、義手の掌の接触面及び指の接触面に提供されてもよい。指の接触面は、グリップされている目標物が最も接触する可能性のある指の領域である。例えば、指先領域は、接触面であってもよい。１つの形状において、グリップ援助面は例えば、ゴム、シリコン又はエラストマを含むゴム入りの表面であってもよい。
【０３３３】
従来の自動義手は、グリップを補助するため、耐水性のため、及び、一般の損耗から保護するために手袋を用いることを必要とする。液体に沈められる場合、周知の自動義手は作動することができない。手袋が使われる所では、義手の駆動モーターは、手袋の圧迫的な性質に対して指を動かすために酷使されてしまう。換言すれば、モーターは、手袋を使用しない場合に比べて指を動かすためにより激しく作動する必要がある。義手に手袋を使う必要がないので、これらの不都合は、本発明の液体に対応可能な義手によって避けることができる。それゆえに、より大きなゲインが駆動モーターから得られ、１つの位置から他の位置へ義手の指を動かすために消費する力はより少ない。加えて、手袋の収縮なしで、義手の指はより急速に動くことができる。本発明の自動義手はまた、水による損傷又は他の液体による損傷の危険性がより少ない。
【０３３４】
本発明の義手が手袋なしで着用することができるので、上記のように、１つ又はそれ以上のＬＥＤ照明が義手の上に配置されてユーザの目に見える所で、義手が訓練用義手として用いることが可能である。
【０３３５】
本発明の液体に対応可能な義手はまた、義手の液体に対応可能な性質に悪影響を与えずに直ちに維持されるように構成される。
【０３３６】
第２の例示的な実施形態
図２６から図６６は、異なる親指回転係止メカニズム、手首係止メカニズム、過負荷指関節クラッチ、取り外し可能なグリッププレート、及び、関連した特徴を採用する第２の実施形態による自動義手を示す。
【０３３７】
第１の実施形態の対応する部分と同等であるそれらの部分は、同じ番号が与えられ、上記の記載は、それらの部分に関して参照されるべきである。掌部の固定器は、上記の例示的な実施形態に関して記載されたものと同じ特性を有する。コネクタが、必ずしも代替的な実施形態においてアクチュエータを収容する必要はないが、後述するアクチュエータは、アクチュエータを収容するコネクタを含む。
【０３３８】
親指回転係止
ここで、図２６から図３０を参照すると、代替的な親指設計が示される。親指７０１は、掌７０４への取付け点であるその近端部で提供されるアクチュエータ７０２（アクチュエータ筐体を含む）を有する。弾力的な取付け部７０３は掌７０４に取り付けられ、アクチュエータ７０２を受容するために必要な大きさにされる空洞を含む。親指７０１を弾力的な取付け部７０３を経て掌に取り付けることによって、親指は、弾力的な取付け部７０３の弾性変形により衝撃力を吸収することができる。弾力的な取付け部７０３は、少なくとも２°、好ましくは少なくとも５°で掌７０４に関して、好ましくはアクチュエータ７０２の相対的な角度の変位が可能であるようにする。弾力的な取付け部７０３は、第１の例示的な実施形態に関して上記した掌部の固定器で説明されるような、材料特性を有してもよい。
【０３３９】
掌７０４に関する親指７０１の相対的な動きはまた、親指係止メカニズムにおいて利用されてもよい。アクチュエータ７０２は矢印Ａによって示されるように、軸の周りで一般に義手の延びる方向に親指７０１を回転させる。この実施形態において、ユーザが回転力を適用する（すなわち逆の駆動を防ぐウォーム駆動のようなギア駆動装置を有しない）場合、アクチュエータ７０２は位置決めの目的のために親指の回転を可能にする。これにより、ユーザは、所望の位置に親指を回転させることができる。またこれにより、親指への偶発的な衝撃によって生じる力を親指が吸収することができる。第２のアクチュエータ７０５は、矢印Ｂによって示されるように、親指の閉止及び延長を制御する。
【０３４０】
適用された力によって回転する親指の能力のために、（親指の回転による解放を防ぐため）アイテムをグリップするような動きの間、親指を固定した回転位置に係止することが望ましい。図２９及び図３０は、親指回転係止の動作を示す。図３０は、力がＣ方向に適用されない場合の要素の位置を示す。親指が目標物又は他の指に対して閉じている場合、矢印Ｃによって示す力により、アクチュエータ７０２が弾力的な取付け部７０３に力を適用し、図２９に示すように親指及びアクチュエータ７０２の回転を引き起こす（アクチュエータ７０２の末端部は手首の方へ動かしたものとする）。これがブロック７０８を掌ブロック７０９に対して動かす。第１の係合面７０６はブロック７０８に提供されてもよく、第２の係合面７０７は掌ブロック７０９に提供されてもよい。２つの係合面が接触するように導かれる場合、これは、親指を回転させることなくグリップを保持するための補助をするように更なる回転（すなわち方向Ａの回転）を防ぐことができる。これは、力が適用されてアクチュエータが動く場合に、（後ろへの回転を防ぐことができるウォーム駆動と異なり）特に重要である。親指の回転を可能にすることで親指の位置決めが補助され、親指に損傷を与えずに力を放散することができる。係合面７０６及び７０７は両方とも、例えばギア表面のような波形輪郭接触的な輪郭を有してもよい。あるいは、１つの表面は、ブレーキパッド材料のような高い摩擦係数を有してもよく、もう一方は表面輪郭を有しても有さなくてもよい。高い摩擦係数を有する表面はまた、起伏を有してもよい。この例では、表面７０７はギアの輪郭を有し、良好なグリップを提供するために弾力的な材料で形成される。
【０３４１】
この設計により、ユーザは所望の位置に親指を回転させることができるが、上記した親指回転係止メカニズムによって、信頼性が高いグリッピングがなお可能である。この設計はまた、偶発的な衝撃による親指又は義手への損傷を避けるため、親指に対する偶発的な衝撃による力を吸収する。
【０３４２】
この設計の変形は、図３２に示され、そこで、親指回転アクチュエータ７０２は、掌７０４に枢着され、バネ７１１によって中立位置の方へ付勢される。グリップの動きの間、力がＣ方向に適用される場合、アクチュエータ７０２は、係合面７０６及び７０７が接触して更なる回転を制限するために、二重矢印Ｄによって示されるように枢着点７１０の周りを回転する。
【０３４３】
クラッチ
図３３から図４１を参照すると、指関節接合に一体化される過負荷保護クラッチ７２０が、記載されている。図３３を参照すると、掌と共に位置する掌部の固定器７２１に載置されるアクチュエータ７２６は、順番に大歯車７２３を駆動するウォーム歯車７２２を駆動する。大歯車７２３は、ここで記載されるように過負荷クラッチ配置を経て左右の指要素７２４及び７２５を駆動する。
【０３４４】
図３４を参照すると、過負荷クラッチ７２０の分解図が示される。大歯車７２３は車軸７３０の周りを自由に回転し、いずれの側部（図では片側が示されている）にも提供される一連のランプ７２７を有する。ランプ７２７は、クラッチ板７２８及び７２９において形成される補完的なランプと係合する（図３９から図４１のランプを参照のこと）。クラッチ板７２８及び７２９は、円盤バネ７３１及び７３２によって大歯車７２３の方へ付勢される。出力プレート７３３及び７３４、円盤バネ７３１及び７３２、クラッチ板７２９及び７２９と車軸７３０及び７３６の全ての「アセンブリ」は、１つの一体的な駆動ユニットを形成するためにボルト７３５によって共に固定される。指関節接合は、収容要素７３７及び７３８の範囲内で囲まれる。
【０３４５】
通常動作において、アクチュエータ７２６は、順番に大歯車７２３（車軸７３０の周りを自由に回転する）を回転させるウォーム歯車７２２を回転させる。大歯車７２３のランプ７２７は、左右の指要素７２４及び７２５を回転させるために「アセンブリ」を駆動するクラッチ板７２８及び７２９の補完的なランプと係合する。指に衝撃力が適用される又は指の回転が特定のレベルの力で抑制されると、ランプ表面がもはや係合しないようになるまで円盤バネ７３１及び７３２を圧縮するクラッチ板７２８及び７２９上の外側の力を適用するために、クラッチ板７２８及び７２９のランプ７３９は大歯車のランプ７２７に対して駆動されて、それにより、大歯車７２３に関するクラッチ板７２８及び７２９の回転が、適用された過負荷力を軽減させることができる。
【０３４６】
図３８から図４１を参照すると、クラッチ板７２８が更に詳細に示されている（クラッチ板７２９は同一である）。この例では、４つのランプ部７３９が示されるが、ランプ部の数は３つから８つのいかなる数であってもよい。図３８に示すように、ランプ表面７４０は、ランプ７３９の平面に５５°の角度で配置されている。ランプ表面７２７が一体的に大歯車７２３の上に形成されるように示されているが、クラッチ板がその代わりに大歯車７２３のいずれの側においても固定できることはいうまでもない。
【０３４７】
図４２は、大歯車７４３が上記のタイプのクラッチ７４５を経て掌７４４に取り付けられる代替的な実施形態を示す。指７４１の中のモーター７４２はウォーム歯車７４６を駆動して、手指を掌の周りで回転させる。過剰な回転力が指７４１に適用される場合には、過負荷力を軽減するために掌に関する指７４１の回転を可能にするように、クラッチ７４５により掌に関する大歯車７４３の回転が可能になる。
【０３４８】
ギア表面上でのクラッチの集積により、ランプ表面上への力が減少してクラッチ板の摩耗を減らすことにつながるコンパクトかつ軽量な解決法が提供される。クラッチは、過負荷解放力の下で一貫して解放され、双方向性の保護を提供する。
【０３４９】
手首
ここで、図４３から図５３と図５５から図５６を参照すると、代替的な手首設計が示されている。義手１００は、車軸５２０を経て手首５００に枢着される。この実施形態において、手首係止メカニズムは、ピン７５１を経て手首５００に枢着されるロッド７５０の形である。ロッド７５０は、有用な手首回転の範囲を定めるために適切な間隔で離間された多くの刻み目７５２をその長さに沿って有する。係止メカニズムは、分岐する開口７５４を有する係止要素７５３を含む。係止要素７５３は、バイアススプリング７５７によってロッド７５０の方へ付勢される。プレート７５６から突出するピン７５５は、分岐する開口７５４内で係合する。ストッパー５３３が摺動アーム５３２を右の方へ動かすために押される場合、ピン７５１は分岐する開口７５４の左に置かれ、係止要素７５３が刻み目７５２と係合するために下に付勢されるのを制限する。ストッパー５３３が摺動アーム５３２を左の方へ動かすために押される場合、ピン７５１は分岐する開口７５４の右に置かれ、係止要素７５３がバネ７５７によって刻み目７５２と係合するために下に付勢されるのを可能にする（係止要素７５３が刻み目に隣接して配置されない場合、その位置で手首を係止する刻み目と整列する位置で手首を係止するまでロッド７５０に対して付勢されたままである）。
【０３５０】
図４４は、中立位置で固定される手首を示す。図４６は、屈曲して固定される手首を示す。図４８は、延長して固定される手首を示す。
【０３５１】
上記の実施形態では、変更可能な長さの結合が多くの離散的な位置を有して提供されるが、連続的に変更可能な結合もまた、図５５及び５６に示すように変形の実施形態で提供されてもよい。この場合、ロッド７６０は手首５００に枢着される。弾力的な材料で形成される継ぎ輪７６２は、金属の半分の継ぎ輪７６３及び７６４によって囲まれる。ストッパー５３３が摺動アーム５３２を右の方へ動かすために押される場合、ピン７５１は角度をつけられた開口７６７の左に置かれ、係止要素７６５を持ち上げる。ストッパー５３３が摺動アーム５３２を左の方へ動かすために押される場合、ピン７５１は角度をつけられた開口７６７の右に置かれ、弾力的な継ぎ輪７６２を圧縮して手首を固定するためにロッド７６０の位置を固定する半分の継ぎ輪７６４に対し、係止要素７６５を下に付勢する。
【０３５２】
義手の掌内で係止メカニズムを配置することによって、手首は非常に短くかつコンパクトな設計をすることができる。その軽くかつコンパクトな設計により、自然に見える機能的な手首が可能になる。コンパクトな設計により、手首領域における他の構成要素のための空間が提供され、義手の全体的なサイズを減らし、液体に対応可能な設計を可能にするのを補助することができる。
【０３５３】
水中使用可能
図５７から図６４を参照すると、液体において水中使用可能である自動義手の掌及び掌部のブロックの設計の特徴が記載されている。図６１、図６２及び図６４に示すように、掌は、上部２１０、下部２２０及び掌部の固定器７７０を含む。この実施形態において、円形ではない鍵穴型の開口７７１が、回転を防ぐために対応して成形されたアクチュエータ筐体と嵌合するために掌部の固定器において提供される。Ｏリング７７２の形の封止は、部品が共にしっかりと固定される場合、防水の封止を下部の掌部分２２０と共に形成するため、掌部のブロック７７０の末端部の周りで提供される。アクチュエータ２０が弾力的な掌部のブロック７７０ときつく係合すると、防水の封止がこの接合点で形成される。指関節接合は、指関節接合を経て水が進入するのを防ぐために防水の構造である。このように、封止された掌の領域（全て又は部分的に）は、液体に沈められる場合に防水である領域にモーター及び電子部品を収容するために提供されてもよい。これにより、義手の機能性を損なわずに、他の領域への水の進入が可能になる。
【０３５４】
封止された掌の領域、及び、液体内での封止が重要な構成要素を提供することによって、手袋を用いずに、義手の残りの部分を水中で使用可能、及び、液体で対応可能とすることができる。
【０３５５】
取外し可能なプレート
ここで図６５及び図６６を参照すると、取外し可能なプレートを含む実施形態が示される。図６５に示される義手８００は、プレート８０３を受容するために必要な大きさにされる水中使用可能な掌の下部に空洞８０２を含む。開口８０５は、ネジのような適切な締結具を経て掌８０１に固定することができるプレート８０３において提供される。プレート８０３は、プレート８０３の表面に提供されるより柔軟な材料の部分８０４を有する堅固材料で形成されてもよい。より柔軟な材料は、１５から９０のショアＡ硬度、好ましくは５０から９０のショアＡ硬度を有してもよく、約６０のショアＡ硬度が非常に有効であることが判明した。より柔軟な材料の部分８０４は、オーバーモールド成形によって形成されても、あるいはそれに対して取り付けられる等で形成されてもよい。これらのより柔軟な部分は改良されたグリップを提供するが、より柔軟であるにつれて摩耗が激しい傾向があるので、入れ替え可能なプレートを提供するのが便利である。図６５は、掌の上部の空洞８０７に固定されてもよい入れ替え可能なプレート８０８を示す。指の入れ替え可能な掌プレートの指先８０６を提供でも同様に、同様の方法でグリップを改善するために柔軟な材料層が提供されてもよく、これらも入れ替え可能であってもよい。掌の水中使用可能な性質のために、プレートと掌の間でいかなる防水の封止の作成も必要とせずにプレートは単に取り付けられてもよい。
【０３５６】
本発明は一例として記載されてきたものであるが、請求項に記載の本発明の範囲内において変形及び修正がなされてもよいと認識されなければならない。更に、周知の同等物が特定の特徴を有する所で、そのような同等物は、詳細に本明細書において参照されたものとして組み込まれるものである。
【０３５７】
例えば、本発明はまた、例えば足のような他の自動及び／又は人工装具の四肢に関連して用いられてもよい。
【図１】
2018531063.tif 000004
【図２】
2018531063.tif 000005
【図３】
2018531063.tif 000006
【図４Ａ】
2018531063.tif 000007
【図４Ｂ】
2018531063.tif 000008
【図４Ｃ】
2018531063.tif 000009
【図４Ｄ】
2018531063.tif 000010
【図５】
2018531063.tif 000011
【図６】
2018531063.tif 000012
【図７】
2018531063.tif 000013
【図８】
2018531063.tif 000014
【図９】
2018531063.tif 000015
【図１０Ａ】
2018531063.tif 000016
【図１０Ｂ】
2018531063.tif 000017
【図１１Ａ】
2018531063.tif 000018
【図１１Ｂ】
2018531063.tif 000019
【図１２Ａ】
2018531063.tif 000020
【図１２Ｂ】
2018531063.tif 000021
【図１３】
2018531063.tif 000022
【図１４Ａ】
2018531063.tif 000023
【図１４Ｂ】
2018531063.tif 000024
【図１４Ｃ】
2018531063.tif 000025
【図１５】
2018531063.tif 000026
【図１６】
2018531063.tif 000027
【図１７Ａ】
2018531063.tif 000028
【図１７Ｂ】
2018531063.tif 000029
【図１７Ｃ】
2018531063.tif 000030
【図１７Ｄ】
2018531063.tif 000031
【図１８】
2018531063.tif 000032
【図１９】
2018531063.tif 000033
【図２０Ａ】
2018531063.tif 000034
【図２０Ｂ】
2018531063.tif 000035
【図２０Ｃ】
2018531063.tif 000036
【図２１】
2018531063.tif 000037
【図２２Ａ】
2018531063.tif 000038
【図２２Ｂ】
2018531063.tif 000039
【図２３】
2018531063.tif 000040
【図２４】
2018531063.tif 000041
【図２５】
2018531063.tif 000042
【図２６】
2018531063.tif 000043
【図２７】
2018531063.tif 000044
【図２８】
2018531063.tif 000045
【図２９】
2018531063.tif 000046
【図３０】
2018531063.tif 000047
【図３１】
2018531063.tif 000048
【図３２】
2018531063.tif 000049
【図３３】
2018531063.tif 000050
【図３４】
2018531063.tif 000051
【図３５】
2018531063.tif 000052
【図３６】
2018531063.tif 000053
【図３７】
2018531063.tif 000054
【図３８】
2018531063.tif 000055
【図３９】
2018531063.tif 000056
【図４０】
2018531063.tif 000057
【図４１】
2018531063.tif 000058
【図４２】
2018531063.tif 000059
【図４３】
2018531063.tif 000060
【図４４】
2018531063.tif 000061
【図４５】
2018531063.tif 000062
【図４６】
2018531063.tif 000063
【図４７】
2018531063.tif 000064
【図４８】
2018531063.tif 000065
【図４９】
2018531063.tif 000066
【図５０】
2018531063.tif 000067
【図５１】
2018531063.tif 000068
【図５２】
2018531063.tif 000069
【図５３】
2018531063.tif 000070
【図５４】
2018531063.tif 000071
【図５５】
2018531063.tif 000072
【図５６】
2018531063.tif 000073
【図５７】
2018531063.tif 000074
【図５８】
2018531063.tif 000075
【図５９】
2018531063.tif 000076
【図６０】
2018531063.tif 000077
【図６１】
2018531063.tif 000078
【図６２】
2018531063.tif 000079
【図６３】
2018531063.tif 000080
【図６４】
2018531063.tif 000081
【図６５】
2018531063.tif 000082
【図６６】
2018531063.tif 000083
【国際調査報告】
2018531063.tif 000084
2018531063.tif 000085
2018531063.tif 000086
2018531063.tif 000087
2018531063.tif 000088
2018531063.tif 000089